(57)【要約】      （修正有）【課題】全面均一平坦シード層を用い、かつｐ型半導体層のキャリア濃度を増大化させ、信頼性の高い高輝度のＬＥＤ等を得る。【解決手段】サファイア基板１１表面に、シード層１２として、縦断面ＴＥＭ（透過型電子顕微鏡）写真の２００ｎｍ観察視野において結晶粒界が観察されないＡｌＮ結晶膜を形成させ、ついでＩＩＩ族窒化物半導体からなる、ｎ型半導体層１４、発光層１５およびｐ型半導体層１６を積層してなるＩＩＩ族窒化物半導体積層構造体２０を製造するに際し、下記（Ａ）〜（Ｄ）から選ばれる少なくとも１種の方法を用いてｐ型半導体層のキャリア濃度を増大化させる。(Ａ）ｐ型半導体層の成膜をN2主体のキャリアガスを用いて行なう。（Ｂ）ｐ型半導体層の成膜終了後の冷却中の雰囲気をN2主体にする。(Ｃ）得られたＩＩＩ族窒化物半導体積層構造体を熱処理する。(Ｄ）得られたＩＩＩ族窒化物半導体積層構造体をN2プラズマ処理する。【選択図】図１
2010021439.tif 000002
【特許請求の範囲】
【請求項１】
サファイア基板表面に、シード層として、縦断面ＴＥＭ（透過型電子顕微鏡）写真の２００ｎｍ観察視野において結晶粒界が観察されないＡｌＮ結晶膜を形成させ、ついでＩＩＩ族窒化物半導体からなる、ｎ型半導体層、発光層およびｐ型半導体層を積層してなるＩＩＩ族窒化物半導体積層構造体を製造するに際し、下記（Ａ）〜（Ｄ）から選ばれる少なくとも１種の方法を用いてｐ型半導体層におけるｐ型ドーパントのキャリア濃度を増大化させることを特徴とするＩＩＩ族窒化物半導体積層構造体の製造方法。
(Ａ）ｐ型半導体層の成膜をN2主体のキャリアガスを用いて行なう。
(Ｂ）ｐ型半導体層の成膜終了後の冷却中の雰囲気をN2主体にする。
(Ｃ）得られたＩＩＩ族窒化物半導体積層構造体を熱処理する。
(Ｄ）得られたＩＩＩ族窒化物半導体積層構造体をN2プラズマ処理する。
【請求項２】
熱処理が１００〜１０００℃の温度で行なわれる請求項１に記載のＩＩＩ族窒化物半導体積層構造体の製造方法。
【請求項３】
熱処理が電場を印加しながら行なわれる請求項１または２に記載のＩＩＩ族窒化物半導体積層構造体の製造方法。
【請求項４】
熱処理が順方向に電流を流しながら行なわれる請求項１〜３のいずれかに記載のＩＩＩ族窒化物半導体積層構造体の製造方法。
【請求項５】
熱処理がＵＶ照射しながら行なわれる請求項１〜４のいずれかに記載のＩＩＩ族窒化物半導体積層構造体の製造方法。
【請求項６】
ＡｌＮ結晶膜は、その平面ＴＥＭ写真の２００ｎｍ四方観察視野において結晶粒界が観察されない請求項１〜５のいずれかに記載のＩＩＩ族窒化物半導体積層構造体の製造方法。
【請求項７】
ＡｌＮ結晶膜表面の中心線表面粗さ（Ｒａ）が２Å以下である請求項１〜６のいずれかに記載のＩＩＩ族窒化物半導体積層構造体の製造方法。
【請求項８】
ＡｌＮ結晶膜の（０００２）面と（１０−１０）のＸ線回折におけるロッキングカーブの半値幅がそれぞれ１００arcsec以下および１．７度以下である請求項１〜７のいずれかに記載のＩＩＩ族窒化物半導体積層構造体の製造方法。
【請求項９】
ＡｌＮ結晶膜中の酸素含有量が５原子％以下となるように制御してＡｌＮ結晶膜を形成する請求項１〜８のいずれかに記載のＩＩＩ族窒化物半導体積層構造体の製造方法。
【請求項１０】
サファイア基板がＣ面サファイア基板である請求項１〜９のいずれかに記載のＩＩＩ族窒化物半導体積層構造体の製造方法。
【請求項１１】
サファイア基板が０．１〜０．７度のオフ角を有する請求項１〜１０のいずれかに記載のＩＩＩ族窒化物半導体積層構造体の製造方法。
【請求項１２】
ＡｌＮ結晶膜がスパッター法で堆積された請求項１〜１１のいずれかに記載のＩＩＩ族窒化物半導体積層構造体の製造方法。
【請求項１３】
スパッター法がＲＦスパッター法である請求項１２に記載のＩＩＩ族窒化物半導体積層構造体の製造方法。
【請求項１４】
ＡｌＮ結晶膜が、サファイア基板をプラズマ中に置いてスパッター法により堆積される請求項１２または１３に記載のＩＩＩ族窒化物半導体積層構造体の製造方法。
【請求項１５】
プラズマ放電中のガス分析において酸素起因ピークが認められない条件下でＡｌＮ結晶膜を形成することにより、酸素含有量が５原子％以下であるＡｌＮ結晶膜を得る請求項１２〜１４のいずれかに記載のＩＩＩ族窒化物半導体積層構造体の製造方法。
【請求項１６】
サファイア基板表面をＮ２プラズマまたはＯ２プラズマ処理した後に、ＡｌＮ単結晶膜が該サファイア基板表面に堆積される請求項１〜１５のいずれかに記載のＩＩＩ族窒化物半導体積層構造体の製造方法。
【請求項１７】
ＡｌＮ結晶膜がサファイア基板表面に堆積される際の基板温度が３００〜８００℃である請求項１〜１６のいずれかに記載のＩＩＩ族窒化物半導体積層構造体の製造方法。
【請求項１８】
ＡｌＮ結晶膜の膜厚が１０〜５０ｎｍである請求項１〜１７のいずれかに記載のＩＩＩ族窒化物半導体積層構造体の製造方法。
【請求項１９】
ＡｌＮ結晶膜の膜厚が２５〜３５ｎｍである請求項１８に記載のＩＩＩ族窒化物半導体積層構造体の製造方法。
【請求項２０】
サファイア基板の直径が１００ｍｍ以上である請求項１〜１９のいずれかに記載のＩＩＩ族窒化物半導体積層構造体の製造方法。
【請求項２１】
請求項１〜２０のいずれかに記載の製造方法により得られたＩＩＩ族窒化物半導体積層構造体。
【請求項２２】
請求項２１に記載のＩＩＩ族窒化物半導体積層構造体を含む発光素子。
【請求項２３】
ｎ型半導体層上に負極を、ｐ型半導体層上に正極をそれぞれ設けた請求項２２に記載の発光素子。
【請求項２４】
請求項２２または２３に記載の発光素子からなるランプ。
【請求項２５】
請求項２４に記載のランプが組み込まれてなる電子機器。
【請求項２６】
請求項２５に記載の電子機器が組み込まれてなる機械装置。
【発明の詳細な説明】
【技術分野】
【０００１】
本発明は、ＩＩＩ族窒化物半導体積層構造体およびその製造方法に関する。
【背景技術】
【０００２】
ＩＩＩ族窒化物半導体ＧａＮ，ＡｌＮ，ＩｎＧａＮ、ＡｌＧａＮでは大型のバルク単結晶を成長することが極めて困難であるので、サファイアを基板として用いたヘテロエピタキシャル成長が一般に行われてきた。しかし、サファイアと上記ＩＩＩ族窒化物半導体の間には１１〜２３％の格子不整合および〜２×１０-6/℃の熱膨張係数差が存在する。また、両者の化学的性質が違うために、サファイア上に直接成長したＩＩＩ族窒化物半導体エピタキシャル膜は、基板の単結晶としての性質を部分的にしか受け継がないで、三次元的に成長してしまい、表面の形を平坦に保つことも非常に難しいとされてきた。GaNの単結晶膜を成長させるための基板に必要な特性としてまず、1200℃までの耐熱性と、その温度においてNH3に反応しないことが要求される。この点から、使用可能なコストで製造可能な基板としてはサファイアとSiCしか現在存在しない。そのなかでもコストを比較するとサファイアが圧倒的に有利であり、実際世の中で生産されているGaN系の発光素子（LED）の90％以上がサファイア基板を使用するものである。しかし、サファイアとGaNとは格子定数が違い、熱膨張係数の違い、さらに化学的特性が違うために直接GaN単結晶は成長させることができないとされている。この結果、サファイア基板上に作製したＧａＮ系発光素子はいろいろな工夫で大幅な改善がなされてきたとはいえ内部にかなり高密度の欠陥を包含しており、発光効率や素子寿命を十分に向上させることに限界があるという問題があった。
【０００３】
一般的に、格子不整合の大きなヘテロエピタキシャル成長で結晶性の良い単結晶膜を得る方法としては以下の2通りの考え方の流れがある。
（ｉ）基板とエピタキシャル膜の中間的な物理定数をもつ材料を介して成長を行うことによりエピタキシャル膜の品質を向上することができる。すなわち、格子定数、化学的性質、熱膨張係数などが中間的な性質を持つ薄膜を間に挟む。その場合には、基板の単結晶の性質をできるだけそのまま単結晶で受け継ぎたいので単結晶薄膜を挿入する必要がある。
（ｉｉ）目的の単結晶薄膜と同じ物質の多結晶あるいは非晶質の膜を挟む。通常、それを成膜する方法は単結晶成長温度よりも低い温度で成膜することによって作製する（特公昭62-29397号公報）。SOS(サファイア基板上のシリコン)などのエピタキシャル成長で検討されたのが始めである。そして、サファイア基板上のＧａＮでは低温バッファー層として成功を収めた。その機構は、バッファー層上ではGaNの核発生密度が高く、その中で結晶方位が良く揃った結晶粒のみが選別的に成長・合体することで粒界の発生を抑え、横成長方向の成長がバッファー層上で速いことを利用して平坦化するものである（赤崎勇ら、日本結晶成長学界誌Vol.13, No.4 ,1986, pp218-225；Vol.15 No.3-4, 1988, pp334-342；および Vol.20, No.4, 1993, pp346-354等）。
【０００４】
まず(i) の考え方は、基板とエピタキシャル膜の中間的な物理定数をもつ材料を介して成長を行うことによりエピタキシャル膜の品質を向上することができるとする考え方である。したがって、サファイア上のＧａＮ層を成長させるためにはＡｌＮ層を介した成長が有効であると考えられる。これはＡｌＮがサファイアとＧａＮの中間的な格子定数と熱膨張係数を持つため、格子不整合と熱歪みが効率的に緩和される結果である。また、ＡｌＮとＧａＮの化学的特性が近く、両者の間の界面エネルギも小さい。これは見方を変えると以下のようにも理解できる。サファイア、すなわちAl2O3は酸化物であり、これに化学的に最も近い窒化物はAlを共通にしているAlNである。格子の不整合は11%で比較的大きいが、Alを共通にしていることによりAlN単結晶が成長しやすい。またAlNはGaNが唯一全率固溶で混ざり合う化合物であるので、化学的性質は最も近いし、格子不整合は2%しかない。したがって、Al2O3/GaNを直接成長させるのは難しくても、Al2O3/AlN/GaNのようにAlNを挟めばサファイア（Al2O3）の結晶性を引き継いでGaNの単結晶を成長させ得る。したがって、平坦なＡｌＮ層を単結晶のまま形成できさえすればその上に成長するヘテロエピタキシャル膜のGaNの膜質を飛躍的に向上させることができる。
【０００５】
以上の目的のＡｌＮ成膜方法としては以下の３つの方法が知られている。
Ｉ．サファイア基板をＮＨ3、Ｎ2Ｈ2 、有機アミン等の窒素原料ガス雰囲気中で熱処理することにより基板表面を単結晶ＡｌＮ化する方法（特公平7-54806号公報 ）またはＮＨ3、Ｎ2Ｈ2雰囲気中でＡｌを蒸着させる化学蒸着方法（特公昭59-48796 号公報）。
ＩＩ．ＡｌＮの単結晶成長が可能な高温に保ったサファイア基板上に有機アルミニウム，ハロゲン化アルミニウムあるいは金属アルミニウム蒸気等のアルミニウム原料ガスと窒素原料ガスを供給し単結晶ＡｌＮ層を堆積する方法（特開平９−６４４７７号公報）であり、通常1300℃程度の高温が必要となる。
ＩＩＩ．５００〜１０００℃の低温でアルミニウム原料ガスと窒素原料ガスを供給し、数１００〜１０００Åの多結晶もしくはアモルファスＡｌＮ層を堆積した後、これより高温でアニールすることにより単結晶化する方法（特公平４−１５２００号公報、特開平５−４１５４１号公報）。
【０００６】
上記Iの方法では、表面窒化の場合は数１０Åの窒化層を再現性良く形成できるうえ、この単結晶ＡｌＮ層は傾斜的な組成変化を伴うためわずか数１０Åの領域で効果的に格子不整合を緩和する。化学蒸着法では10-8Ｔｏｒｒという超高真空が必要であり、1000〜1200℃という高温の基板にＡｌ蒸気とＮＨ3かＮ2Ｈ2を反応させる。しかし、これらの方法で作製したＡｌＮ層は窒素化反応が均一に進まず１０Åのオーダーで表面荒れを起こしやすい。表面が荒れたＡｌＮ層上にエピタキシャル成長を行うと、膜厚の増加に伴いこの凹凸が強調され平坦な表面形状が得られない。
【０００７】
一方、IIの方法で作製したＡｌＮ層は高温で膜成長を行うため、均一微細に一斉に成長核を発生させることができず、順次核発生するので三次元成長が避けられない。ItoらはAlNを高温で成長させるときもNH3の流量を極力少なくすることにより、単結晶の成長を抑えて均一微細に一斉に多結晶を生成させ、横方向成長を促進することで平滑面を出すという低温バッファで使う機構が働かないと、表面が平滑なGaN結晶は得られないとしている（J.  Crystal  Growth, 205(1999)20-24）。
【０００８】
以上のように、Ｉ及びＩＩの方法で作製した単結晶ＡｌＮ層は、その上に成長したエピタキシャル膜の結晶性を向上させ、ＰＬ（フォトルミネッセンス）特性などの光学的特性の向上に一定の働きはするものの、三次元成長はむしろ促進され凸凹の表面となるので電流を流しても信頼性のあるＬＥＤ素子を作れるエピウエハーを得ることは難しい。
【０００９】
また、IIIの方法では、三次元成長が起こらないような低温でＡｌＮ膜を堆積するため平坦なアモルファス層の形成が可能となる。ところが、完全に単結晶化するまでアニールすると初めに結晶になった箇所と後から結晶になった箇所とで微妙に方位の違いが生じるため表面が乱れ始める。その上にGaNエピタキシャル膜を成長するとしだいに凹凸が生じてしまうことになる。
【００１０】
以上のように、サファイア基板の上にＧａＮ単結晶を成長させるヘテロエピタキシャル成長において、中間的な物理定数をもつ単結晶AlNシード層を使う方法は古くから検討されてきたが、表面平坦性を維持することができずほとんど諦められているのが現状である。
【００１１】
そこで、現在は上記（ｉ）ではなく(ｉｉ)の考え方に沿ったバッファー層が用いられている。バッファー層として使う場合は中間的な物理定数をもつことに意味がなく, 成長させたい単結晶と同組成で微結晶か非晶質の薄膜を用いるのが基本である。したがって、ＧａＮを500℃近くの低温で成膜した層をバッファーとする低温バッファー法が最も広く用いられている。
【００１２】
これに対して、均一な膜厚のAlNを得る方法としてスパッター法も古くから検討されてきた。A.J.Shuskusらは次のような報告をしている（Applied Physics Letters, Vol.24, No.4(1974) pp155-156）。すなわち、高純度Alターゲットを１０-8Torrが達成できる反応容器を使って、NH3ガスでRF放電させ、1200℃の(0001)面サファイア基板にAlNを成膜させ、反射型電子線解析で単結晶薄膜ができたとしている。しかしながら、得られたAlN膜は反射電子線回折でパターンが一種類であるというだけにすぎず、柱状結晶の粒界がないこと、および表面性、についての記述は何もされていない。その後、C.R.Aita等は高純度Alターゲットを使ってArとN2との混合ガスを放電させ室温で単結晶Siの上にAlN薄膜をつくり放電条件と成膜した膜質とを詳しく調べた（J.Appl.Phys. Vol.53, No.3(1982) pp1807-1809 、J. Vac. Sci. Technol.A Vol.1, No.2(1983) pp403-406）。W.J.Meng等はSi(111),Si(100)基板に同様の条件で温度を600℃以上にあげて成膜実験をしており、両者ともC面に方位を揃えて非常に細かい多結晶の表面が平滑なAlN薄膜ができたと報告している（J.Appl.Phys. Vol.75,No.7(1994) pp3446-3455）。その後、AlNはエネルギーギャップが６．２eVもあることから化合物半導体としての用途がいろいろ議論されたが実用には至らなかった。
【００１３】
プラズマを発生させると高いエネルギーをもった電子の流れが発生し、これが結晶に打ち込まれると、いわゆるプラズマダメージといわれる欠陥が結晶の中にできる。そこで、できるだけ低欠陥の薄膜結晶が望まれる半導体の用途ではスパッター法は積極的には使われてこなかった。しかしスパッター法が数１０〜数１００Åの薄膜を再現よく成膜する方法としてきわめて優れた方法であることが、Si半導体の配線プロセスやハードディスクのメディアやヘッドの分野で薄膜多層の高機能性の薄膜を大量に安定して生産してきた実績から浸透してきており、スパッター法の検討が精力的に検討されることになった。スパッター法でAlNを成膜した場合にはアモルファスか多結晶であることが多く、単結晶を成膜した報告は極めて少ない。特にプラズマダメージという言葉があるように単結晶をプラズマに曝すと結晶が壊れてしまうという考えるのが一般的である。以上より、基板の平坦性を維持して成膜する方法としてスパッターは極めて有利な方法であるが、結晶性を上げる方法としては省みられることは非常に少ない。
【００１４】
一方、均一微細に多結晶を一斉に核発生させ、方向が揃った結晶のみが合体し、横方向成長を使うことにより平坦な単結晶ができるというのが低温バッファの考え方である。したがって、多結晶か非晶質の薄膜を均一に成膜する必要がある。そこで低温バッファの成膜をスパッター法のAlNを使うというのが一つの方向として浮上した。AlあるいはGaターゲットを用いた反応スパッターでアモルファスAlNまたはGaN膜を成膜した後に装置から一度出し、MOCVDを使ってGaNを成長させることになる（特開２０００−２８６２０２号公報、特開２００１−９４１５０号公報、特開昭６０−１７３８２９号公報）。
【００１５】
Ｃuomoらは1972年にサファイア基板にGaターゲットを使った反応スパッターでGaNの方向が揃った多結晶薄膜を成膜するのに成功し（Appl.Phys.Lett.,Vol.20, No.2  (1972),pp71-72、特開昭48-40699号公報）、さらに、その技術を発展させてスパッターでバッファー層と下地層とを作製する方法を提案した（米国特許６,６９２，５６８号明細書、米国特許第６，７８４，０８５号明細書、特公表2004-523450号公報）。基板上にコラム（柱）状の結晶を多数発生させ、装置上の工夫とArとN2の比率、放電パワーなどの条件を変えることにより、その柱状結晶上で結晶方位がほぼ揃っているものだけが合体していくという横方向成長を使うことにより柱状結晶上に単結晶GaN薄膜を得ている（たとえば、米国特許６,６９２，５６８号明細書のFig.4）。
【００１６】
【特許文献１】特公昭62-29397号公報
【特許文献２】特公平7-54806号公報
【特許文献３】特公昭59-48796 号公報
【特許文献４】特開平９−６４４７７号公報
【特許文献５】特公平４−１５２００号公報
【特許文献６】特開平５−４１５４１号公報
【特許文献７】特開２０００−２８６２０２号公報
【特許文献８】特開２００１−９４１５０号公報
【特許文献９】特開昭６０−１７３８２９号公報
【特許文献１０】特開昭48-40699号公報
【特許文献１１】米国特許６,６９２，５６８号明細書
【特許文献１２】米国特許第６，７８４，０８５号明細書
【特許文献１３】特公表2004-523450号公報）
【非特許文献１】日本結晶成長学界誌Vol.13, No.4 ,1986, pp218-225
【非特許文献２】日本結晶成長学界誌Vol.15 No.3-4, 1988, pp334-342
【非特許文献３】日本結晶成長学界誌Vol.20, No.4, 1993, pp346-354
【非特許文献４】J.  Crystal  Growth, 205(1999)20-24
【非特許文献５】Applied Physics Letters, Vol.24, No.4(1974) pp155-156
【非特許文献６】J.Appl.Phys. Vol.53, No.3(1982) pp1807-1809
【非特許文献７】J. Vac. Sci. Technol.A Vol.1, No.2(1983) pp403-406
【非特許文献８】J.Appl.Phys. Vol.75,No.7(1994) pp3446-3455
【非特許文献９】Appl.Phys.Lett.,Vol.20, No.2(1972),pp71-72
【発明の開示】
【発明が解決しようとする課題】
【００１７】
前記のとおり、サファイア基板上にＧａＮ系半導体をヘテロエピタキシャル成長する方法として、(i)の中間的な物理的・化学的性質を持つ単結晶シード層を挟む方法と  (ii)の目的の単結晶と同じ組成の多結晶・非晶質を均一微細に一斉に核発生させ、方位がそろったものだけを合体成長させるバッファー層との2通りの考え方があり、（ii）の方法が普及した。サファイア基板の平坦性を維持して薄膜を成膜する方法としてスパッター法が考えられ広く検討された。しかしながら、多結晶もしくは非晶質のバッファー層として有効であったが、平坦な単結晶シード膜として検討されたことはなかった。それはスパッターが単結晶を作る方法としては適さない方法であると一般には考えられているからである。
【００１８】
以上のように、（ｉ）の考え方に沿った単結晶の薄い層を挿入する方法は従来の方法では三次元成長を防ぐのが難しく、サファイア基板の表面粗さがＲａ＝0.8Å程度であっても、その上に形成された薄膜はRaが１０Å以上になってしまう。低温バッファー層を用いると、成膜後にＧａＮ系半導体成膜用に昇温した時点で部分的に柱状結晶ができるので、表面平坦性がやはりＲａで１０Å以上になってしまう。
【００１９】
これに対して、本発明は現在主流の（ｉｉ）の低温バッファー層とは異なり、現在ほとんど検討されていない（ｉ）の考え方に沿ってＧａＮ系結晶を得ようとするものである。従来（ｉ）の考え方に沿った方法がほとんど失敗してきたのはＡｌＮの薄膜を成膜した時点で表面の平坦度がサファイアウエハーの表面と比べて大きく荒れてしまっていたことによる。
【００２０】
上記のように、サファイア結晶の上に直接GaNは成長しないのでAlNかＧａＮのバッファー層を入れることにより結晶の不整合を緩和し, 当時としては飛躍的に優れたGaN結晶の成長に成功し、LEDの発光強度を実用に耐えるレベルに向上させ得た。その結果、GaN系結晶を使ったLEDは携帯電話の液晶ディスプレーのバックライトに採用されたのをきっかけとして需要が毎年５０％を超える速度で拡大してきた。そして、近年同じ液晶ディスプレーであってもパソコンのモニター用やTV用のバックライトに対してもLEDバックライトを使う方向で検討が進んでいる。そうすると、従来の結晶性では十分な発光効率と信頼性が得られないことがわかってきており、さらなる高結晶性の要求が強くなってきている。ヘテロエピタキシャル成長をする場合、以下の2つの方法がある。すなわち、第一の方法は中間的な物理的・化学的特性を持つ単結晶シード層を挿入する方法であり、第二の方法は単結晶と同じ組成の物質を多結晶か非晶質で均一微細に一斉に核発生させて、方位が合っている結晶を横方向で合体させるバッファー層を用いる方法である。そのうち低温バッファーを用いる方法がGaN系半導体では現在は主流である。ところが、バッファー層を入れる限り、一度基板の単結晶がもつ規則正しい原子の配置を崩してしまうことになり、また低温バッファー層を成長温度まで昇温させる過程で部分的に結晶化が進むので結晶化のレベルの違う場所が発生し、表面の平坦性が損なわれる。したがって、現在要求されている高度の結晶性を達成することは非常に難しいと考えられる。
【００２１】
本発明者は、高度の結晶性を有し、平坦なAｌN結晶膜シード層を得ることにより、特に直径100mm以上の大型基板を用いる場合でも全面均一に平坦なAｌN結晶膜シード層を用いることにより、結晶性の良いＧａＮ系薄膜を得、信頼性の高い高輝度のＬＥＤ素子等を得ることを目的とする発明を完成させた。本発明は、この発明の一環として、さらにｐ型半導体層におけるｐ型ドーパントのキャリア濃度を増大化させることを目的とするものである。
【課題を解決するための手段】
【００２２】
上記の課題を解決するために、本発明は以下の発明を提供する。
（１）サファイア基板表面に、シード層として、縦断面ＴＥＭ（透過型電子顕微鏡）写真の２００ｎｍ観察視野において結晶粒界が観察されないＡｌＮ結晶膜を形成させ、ついでＩＩＩ族窒化物半導体からなる、ｎ型半導体層、発光層およびｐ型半導体層を積層してなるＩＩＩ族窒化物半導体積層構造体を製造するに際し、下記（Ａ）〜（Ｄ）から選ばれる少なくとも１種の方法を用いてｐ型半導体層におけるｐ型ドーパントのキャリア濃度を増大化させることを特徴とするＩＩＩ族窒化物半導体積層構造体の製造方法；
(Ａ）ｐ型半導体層の成膜をN2主体のキャリアガスを用いて行なう。
【００２３】
(Ｂ）ｐ型半導体層の成膜終了後の冷却中の雰囲気をN2主体にする。
【００２４】
(Ｃ）得られたＩＩＩ族窒化物半導体積層構造体を熱処理する。
【００２５】
(Ｄ）得られたＩＩＩ族窒化物半導体積層構造体をN2プラズマ処理する。
（２）熱処理が１００〜１０００℃の温度で行なわれる上記（１）に記載のＩＩＩ族窒化物半導体積層構造体の製造方法；
（３）熱処理が電場を印加しながら行なわれる上記（１）または（２）に記載のＩＩＩ族窒化物半導体積層構造体の製造方法；
（４）熱処理が順方向に電場を流しながら行なわれる上記（１）〜（３）のいずれかに記載のＩＩＩ族窒化物半導体積層構造体の製造方法；
（５）熱処理がＵＶ照射しながら行なわれる上記（１）〜（４）のいずれかに記載のＩＩＩ族窒化物半導体積層構造体の製造方法；
（６）ＡｌＮ結晶膜は、その平面ＴＥＭ写真の２００ｎｍ四方観察視野において結晶粒界が観察されない上記（１）〜（５）のいずれかに記載のＩＩＩ族窒化物半導体積層構造体の製造方法；
（７）ＡｌＮ結晶膜表面の中心線表面粗さ（Ｒａ）が２Å以下である上記（１）〜（６）のいずれかに記載のＩＩＩ族窒化物半導体積層構造体の製造方法；
（８）ＡｌＮ結晶膜の（０００２）面と（１０−１０）のＸ線回折におけるロッキングカーブの半値幅がそれぞれ１００arcsec以下および１．７度以下である上記（１）〜（７）のいずれかに記載のＩＩＩ族窒化物半導体積層構造体の製造方法；
（９）ＡｌＮ結晶膜中の酸素含有量が５原子％以下となるように制御してＡｌＮ結晶膜を形成する上記（１）〜（８）のいずれかに記載のＩＩＩ族窒化物半導体積層構造体の製造方法；
（１０）サファイア基板がＣ面サファイア基板である上記（１）〜（９）のいずれかに記載のＩＩＩ族窒化物半導体積層構造体の製造方法；
（１１）サファイア基板が０．１〜０．７度のオフ角を有する上記（１）〜（１０）のいずれかに記載のＩＩＩ族窒化物半導体積層構造体の製造方法；
（１２）ＡｌＮ結晶膜がスパッター法で堆積された上記（１）〜（１１）のいずれかに記載のＩＩＩ族窒化物半導体積層構造体の製造方法；
（１３）スパッター法がＲＦスパッター法である上記（１２）に記載のＩＩＩ族窒化物半導体積層構造体の製造方法；
（１４）ＡｌＮ結晶膜が、サファイア基板をプラズマ中に置いてスパッター法により堆積される上記（１２）または（１３）に記載のＩＩＩ族窒化物半導体積層構造体の製造方法；
（１５）プラズマ放電中のガス分析において酸素起因ピークが認められない条件下でＡｌＮ結晶膜を形成することにより、酸素含有量が５原子％以下であるＡｌＮ結晶膜を得る上記（１２）〜（１４）のいずれかに記載のＩＩＩ族窒化物半導体積層構造体の製造方法；
（１６）サファイア基板表面をＮ２プラズマまたはＯ２プラズマ処理した後に、ＡｌＮ単結晶膜が該サファイア基板表面に堆積される上記（１）〜（１５）のいずれかに記載のＩＩＩ族窒化物半導体積層構造体の製造方法；
（１７）ＡｌＮ結晶膜がサファイア基板表面に堆積される際の基板温度が３００〜８００℃である上記（１）〜（１６）のいずれかに記載のＩＩＩ族窒化物半導体積層構造体の製造方法：
（１８）ＡｌＮ結晶膜の膜厚が１０〜５０ｎｍである上記（１）〜（１７）のいずれかに記載のＩＩＩ族窒化物半導体積層構造体の製造方法；
（１９）ＡｌＮ結晶膜の膜厚が２５〜３５ｎｍである上記（１８）に記載のＩＩＩ族窒化物半導体積層構造体の製造方法；
（２０）サファイア基板の直径が１００ｍｍ以上である上記（１）〜（１９）のいずれかに記載のＩＩＩ族窒化物半導体積層構造体の製造方法；
（２１）上記（１）〜（２０）のいずれかに記載の製造方法により得られたＩＩＩ族窒化物半導体積層構造体；
（２２）上記（２１）に記載のＩＩＩ族窒化物半導体積層構造体を含む発光素子；
（２３）ｎ型半導体層上に負極を、ｐ型半導体層上に正極をそれぞれ設けた上記（２２）に記載の発光素子；
（２４）上記（２２）または（２３）に記載の発光素子からなるランプ；
（２５）上記（２４）に記載のランプが組み込まれてなる電子機器；ならびに
（２６）上記（２５）に記載の電子機器が組み込まれてなる機械装置、
である。
【発明の効果】
【００２６】
本発明によれば、高度の結晶性を有し、平坦なAｌN結晶膜シード層を用い、かつｐ型半導体層におけるｐ型ドーパントのキャリア濃度を増大化させることにより、特に直径100mm以上の大型基板を用いる場合でも全面均一に平坦なAｌN結晶膜シード層を用いて、信頼性の高い高輝度のＬＥＤ等を得ることができる。
【発明を実施するための最良の形態】
【００２７】
以下に、本発明の好適な実施態様例について、図１〜６を適宜用いて説明する。本発明のＩＩＩ族窒化物半導体積層構造体（１０）は、サファイア基板（１１）上に、ＩＩＩ族窒化物半導体からなる、ｎ型半導体層（１４）、発光層（１５）およびｐ型半導体層（１６）を積層してなり、そのサファイア基板（11）表面（１１ａ）にシード層（１２）としてＡｌＮ結晶膜を有し、ＡｌＮ結晶膜は、その縦断面ＴＥＭ（透過型電子顕微鏡）写真の、基板に平行な方向の少なくとも２００ｎｍ観察視野において結晶粒界が観察されないことを特徴とする。ここで、縦断面TEMとは基板表面に対して垂直な面を観察したTEM像であり、平面TEMとは基板表面と平行な面を観察したTEM像である。
【００２８】
ＩＩＩ族窒化物半導体としては、ＧａＮ，ＡｌＮ，ＩｎＧａＮ，ＡｌＧａＮ等のＧａＮ系半導体（以下、単に「GaN」または「GaN系半導体」ということがある。）が好適である。
【００２９】
本発明のＩＩＩ族窒化物半導体積層構造体において、さらにＡｌＮ結晶膜は、その平面ＴＥＭ写真の少なくとも２００ｎｍ四方観察視野において結晶粒界が観察されないのが好適であり、少なくとも５００ｎｍ四方観察視野において結晶粒界が観察されないのがさらに好適である。
【００３０】
縦断面ＴＥＭ写真または平面ＴＥＭ写真は、集束イオンビーム（ＦＩＢ）加工で試料を作成し、イオンシニング加工後、高分解能透過電子顕微鏡ＵＨＲ−ＴＥＭ（Ｈ−９０００ＵＨＲ）（日立製作所製）にて加速電圧２００ｋＶで観察して得られる。
【００３１】
Ｘ線解析は薄膜全体の広い範囲にわたって平均的な欠陥密度を定量化している。それに対し直接的に結晶欠陥を観察する方法が透過電子顕微鏡（Transparent Electron Microscopy）である。Ｃ面に垂直な方向から観察する方法（平面ＴＥＭ）と平行な方向を観察する方法（（縦）断面ＴＥＭ）がある。断面ＴＥＭでは高分解能仕様で電子線入射方向を＜１１−２０＞方向にすると（０００１）面の格子像を見ることができる。格子像の一つの点は原子列に対応しており、原子が一つだけ抜けている点欠陥をＴＥＭで見ることはできない。格子像にずれがあるところは面が1枚抜けており、それは転位に相当する。もし明確な粒界が存在し、面方位がそこで完全に違う方向に向いていると、格子像はそこで切れるはずである。Hiramatsuらが1991年にAlN低温バッファーで成膜したsapphire/AlN/GaNの断面TEMを詳細に検討した結果、AlN層は柱状結晶の集合体と報告している（J.Crystal Growth 115(1991)628-633）。柱状結晶と柱状結晶の界面は明確な粒界ではなく、格子像が両方とも見えているが、詳細に見るとずれているところがあり、そのずれがC軸方向に並んでいる場所があり、その両側で明視野での像に濃淡がある。本発明において粒界が観察できないというのはHiramatsuらが定義する柱状結晶が観察されないということである。柱状結晶か否かを明確に同定するためには２百万倍程度の倍率が必要であり、一回の視野は50nm程度の範囲が限界である。したがって、200nmの視野を見るためには4回程度場所をずらして観察する必要がある。本発明はヘテロエピタキシャル成長させる場合に基板と成長させたい結晶との中間的な物理特性を持つ結晶を間に挟む方法であり、その層に粒界があるとそこから欠陥が引き継がれてしまうので、粒界を極力なくす必要がある。従来技術のバッファー層の考え方では柱状結晶をできるだけ多く存在させ基板と成長させたい結晶とのミスマッチを吸収させて多数ある結晶の中から面方位が合っている結晶のみを横成長させて目的の結晶を成長させるという方法であるので、AlN層に要求される特性が本発明のAlNシード層と全く異なる。柱状結晶が全く存在しないことが理想であるが、少なくとも200nmの視野のなかで柱状結晶が観察できなければLEDの発光特性は飛躍的な改善が見込まれる。
【００３２】
また、平面TEMの場合は柱状結晶を同定することが比較的容易である。柱状結晶の（０００１）面に垂直に電子線を入射すると面方位がぴったり合っている場所と合っていない場所とで明視野像の濃淡が生じる。柱状結晶の一つに正確に合わせると粒内が濃くなり、境界は微妙に方位がずれているので薄くなる。少なくとも200nm四方の視野で柱状結晶が観察されないこと、好ましくは500nm四方の視野で柱状結晶が観察されないこと、を本発明では粒界が観察できないと表現する。
【００３３】
本発明のＡｌＮ結晶膜は、上記のように高結晶性を有するとともに、高度の平坦度を有し、好適にはＡｌＮ結晶膜表面の算術平均表面粗さ（Ｒａ）（ＪＩＳ  Ｂ０６０１）が２Å以下、さらに好適には１．５Å以下である。表面粗さの測定には原子間力顕微鏡（ＡＦＭ）による方法と光学式表面検査解析装置（ＯＳＡ）などの光学的な測定法がある。ＡＦＭによる測定では測定視野によっても値は異なる。ここではＡＦＭで５μｍ2視野の測定値を基準にする。
【００３４】
有機金属化学気相成長（ＭＯＣＶＤ）法によれば、横方向成長を有効に使うことでＣ軸方向の貫通転位などの欠陥を減らすことができるが、スパッターで薄膜を形成した場合は基本的に成長方向に積み上げられる。したがって、基板の表面性が低温バッファー層の場合に比べてきわめて敏感に膜特性に影響してくる。サファイア基板に存在した欠陥や汚れに起因して成長に不均一が生じると粒界を発生してしまうので、粒界のない薄膜を形成するためには基板表面の清浄度を高精度に管理するのが好適である。
【００３５】
そのためにプラズマ処理で表面にある汚れを叩き出す処理を行うことが挙げられるが、この処理が強すぎると却って表面を荒らしてしまうことになる。一方、表面に比較的多く汚れが付いているときに処理が弱すぎると十分きれいな表面を得ることができない。このバランスを常に成立させることが粒界のないＡｌＮ薄膜を生成するために好適である。汚れのレベルに応じてプラズマ処理の条件を変えられればよいが、汚染のレベルを定量的に評価することはきわめて困難であるので、実際には実行不可能である。そこで具体的にはスパッター機に投入する前の状態を十分管理する必要がある。研磨仕上がりの湿式洗浄、乾燥からスパッター投入まで一定の在庫期間があるのは避けられない。この間に表面はいくらか汚染されるので、スパッター投入前に必要に応じて、その汚染を落としておくことが好適である。在庫期間が長い場合には、得られるＡｌＮ結晶膜の酸素濃度が部分的に高くなるおそれがあり、結晶性も部分的に悪くなるおそれがある。在庫期間が短い場合には、上記のプラズマ処理は必ずしも必要ではない。
【００３６】
上記のように従来技術ではサファイア基板上にＧａＮ系結晶を成長させるために低温バッファー法が用いられる。その場合、低温バッファー層へのＧａＮ系半導体の成長では表面が一度凸凹になり、それから横方向成長でそれを埋めていくという特徴的な挙動をする。Ｉｎ  Ｓｉｔｕで表面の反射率を測定すると凸凹になったところで大きく低下する。凸凹を埋め終わると再び平坦な面が得られ、反射率は元に戻る（Japanese Journal of Applied Physics, Vol.30,No.8,August,1991,pp.1620-1627）。
【００３７】
これに対し、本発明の方法では粒界がないＡｌＮ膜のうえにＧａＮ結晶がエピタキシャル成長するので表面はサファイア基板の平坦性を維持したまま成長し得る。したがって、表面の反射率をＩｎ  Ｓｉｔｕ測定すると反射率の変化はない。本発明のＡｌＮ結晶膜シード層（「シード層」または「ＡｌＮシード層」ということがある。）が低温バッファー層とは成長機構が全く異なることをここでも確認できる。
【００３８】
本発明のＡｌＮ結晶膜は、その酸素含有量が５原子％以下であるのが好適であり、さらに好適には３原子％以下であり、一方、シード層としての効果とコストを考慮して0.1原子％以上が好ましい。
【００３９】
本発明者の知見によれば、ＡｌＮの薄膜に酸素が混入するとそこを基点として粒界が生成しやすい。したがって、粒界の生成を抑えるためには薄膜中に入る酸素混入量を極力下げる必要がある。また、粒界が生じると粒界とそうでない箇所とで成長速度が異なるので次第に表面が荒れてくる。よって、サファイア表面の平坦性を維持して膜が成長することができずに、次第に悪くなることが判明した。
【００４０】
酸素が混入する経路としては次の2点が考えられる。
（１）ベース圧力の真空度が低い。ベース圧力が１０-4Ｐａよりも真空度が高い場合は残っているガスはほとんどがＨ2ＯとＨ2である。Ｈ2Ｏはプラズマ中で分解してＯを供給する。
（２）ベース圧力が十分低下しているときでもシールド表面にＨ2Ｏが付着しており、プラズマを発生させてシールドがプラズマに晒されたとき表面からＨ2Ｏがプラズマ中に放出される。プラズマに曝されるシールド類の脱ガス処理が不十分な場合に起こる。
【００４１】
酸素の混入を防ぐためにはまずベース圧力を極力低下させるのが好適である。しかし、構造上Ｏ−リングを使わないと非常に高価な装置になってしまう。Ｏ−リングを使うと、その耐熱性からチャンバーの壁面は１００℃までしか加熱できない。壁面を２００℃以上にしないとチャンバー内壁からの脱ガスを完全には抑えることができず、５×１０-6Ｐａ程度が限界である。しかしスパッターの場合には（２）の原因による脱ガスがあるのでこれよりもベース圧力を低下させても効果が現われない。（２）の原因による脱ガスは4重極質量分析計によって確認できる（たとえばＩｎｆｉｃｏｎ社製  Transpector XPR3）。検出感度は10ｐｐｍである。本発明において、放電を起こしたときに酸素が検出されるときは成膜したＡｌＮシード層の酸素含有量が５原子%を上回っていることが判明した。
【００４２】
ＡｌＮ薄膜中の酸素はＸ線光電子分光法（X-ray Photoelectron Spectroscopy：XPSまたはElectron Spectroscopy for Chemical Analysis：ESCA、例えばKRATOS製「AXIS-NOVA」）によって測定することができる。
【００４３】
深さ方向の分解能は光電子が飛び出し得る深さで決まるので１００Å程度である。深さ方向の組成分析をする方法としてはオージェ電子分光分析（Auger Electron Spectroscopy AES）、2次電子放電質量分析（Secondary Ionaization Mass Specroscopy SIMS）がある。オージェ電子分光分析では電子線を照射するのでサファイアの上のAlNのように絶縁体の場合にはチャージアップしてしまうことになり使用できない。SIMSはごく微量の不純物を定量化できる感度がある代わりに、1%近く入っている場合にはチャンバー内を汚染してしまう可能性があるので使用できない。XPSで検出下限（約0.5原子％）以下になっているものについてSIMSで分析して混入量を定量化することができる。
【００４４】
成膜に際しては、チャンバー壁面に成膜しないようにシールドを配置するのが一般的である。またシールドは堆積した膜がすぐ剥がれ落ちないようにブラストして表面を荒らすのが一般的である。シールドはブラストにより表面積が大きくなっているので吸着ガスの量も多い。酸素の混入を極力少なくするためにはシールドに対して以下のような配慮が必要である。このシールドの配置によって放電中の酸素発生量が異なることになる。チャンバー壁面に近すぎると温度が上がらず脱ガスが十分できないのでいつまでもガス放出が続く。また、カソードにあまり近いとプラズマで非常に強く叩かれるのでブラスト時に付いた汚れが叩き出されてしまう。基板加熱用のヒーターがシールドも加熱することになるが、その温度があまり上昇するとシールドがゆがんでしまったり、材質によっては溶けてしまうおそれがある。シールドからの不純物を考慮するとシールドの材質は純Ａｌが最適である。シールドが200℃以上に均一に加熱されるようにシールドを円筒形に配置するのが好ましい。また、ブラストの代わりにAlを溶射することで凹凸を形成して剥離防止をすることもできる。以上のように、シールドの材質、形状、配置を検討することにより放電中に発生する酸素を減らすことができ、その結果としてＡｌＮシード層に含まれる酸素量を５原子％以下に減らすことができる。放電中のガス分析を行い酸素起因のピークが出ないことを確認して成膜することにより、ＡｌＮシード層中に含まれる酸素量を５原子％以下に制御し得る。
【００４５】
本発明のＩＩＩ族窒化物半導体積層構造体は、高度の結晶性を有し、好適にはＡｌＮ結晶膜の（０００２）面と（１０−１０）面のＸ線回折におけるロッキングカーブの半値幅がそれぞれ１００arcsec以下および１．７度以下である。
【００４６】
ここで、結晶性について説明する。欠陥を大まかに一次元、二次元および三次元のものに分類すると、一次元欠陥の代表例が空孔であり、２次元欠陥の代表例が転位であり、三次元欠陥の代表例が粒界である。エネルギーギャップを発光に有効に使用するためには、まず単結晶になっていなければならない。単結晶には粒界がないが、それをどのように確認するかは結晶性により異なる。まず、Ｘ線回折（ＸＲＤ）で２θ解析を行ったとき、回折ピークが一つの面からだけ生じるか、あるいは電子線回折で反射や透過でスポットが一種類の回折パターンになることが確認されると、明確な粒界はないことになる。つぎに、回折ピークが一種類の面から出ていたとしても、その幅が広い場合には、種々の欠陥が含まれていて面間隔が一定でないことになる。したがって、回折ピークの鋭さが次に問題になる。この幅が入射Ｘ線の幅と同程度になると回折ピークの幅で結晶性の良し悪しを比較できなくなる。そうなると、欠陥密度と連動する物理量を測定して結晶性を評価するようになる。ＧａＮの単結晶の場合には、ドープなしのときの電子密度がＧａＮのＮの格子欠陥密度と対応しているとして測定された。しかし、この値が１０+16/cm2以下になると指標にならなくなった。そこで、Ｃｌ2ガスでドライエッチングにより欠陥を拡大して光学顕微鏡でみる方法がある（Appl.Phys. Lett.Vol.72(1998)211）。さらに、走査電子顕微鏡（ＳＥＭ）を用いてカソードルミネセンス（ＣＬ）により欠陥箇所を直接観察できるようになり、ＣＬによる欠陥密度の測定が一般的になった（Jpn.J.Appl.Phys. Vol.37(1998)L398）。さらに容易に欠陥密度を測定する方法として、ＸＲＤのロッキングカーブの半値幅をみることで欠陥密度を予測できることが提案された（J.Appl.Phys.Vol.63(1988)1486）。この方法は、簡便であり、非破壊で全数測定可能であるので、結晶性を定量化する方法として最適である。よって、本発明においては、結晶性を定量化して表示する方法として、この方法を用いることとする。ＬＥＤ構造の最終の層であるｐ−ＧａＮ層をＸ線回折で解析し、ｐ−ＧａＮ結晶の（０００２）面と（１０−１０）面のＸ線回折におけるロッキングカーブの半値幅（ＦＷＨＭ）を用いる。
【００４７】
従来のＡｌＮまたはＧａＮのバッファー層を用いた場合には、バッファー層自体の結晶性は（0002）面のＦＷＨＭが数千〜数万arcsecのオーダーで、（１０−１０）は測定不能である。その後、その上への積層とともに結晶性が向上しても、ｐ−ＧａＮ層は（0002）面で100arcsec, (10-10)面で300arcsecにするのが限界とされてきた。（１０−１０）面で３００arcsecの結晶性は、ＣＬ法で測定した転位密度１×１０9/ｃｍ3に相当する。
【００４８】
本発明において、ロッキングカーブの半値幅の測定は、Ｘ線源としてＣｕＫα線を用い、発散角が０．０１度の入射光を使い、スペクトリス社製「PANalytical X ‘pert ProMRD」装置を用いて測定する。
【００４９】
また、（０００２）面のロッキングカーブ測定は、（０００２）面に相当するピークを見つけた後、２θとωを最適化し、その後、ピーク強度が最大になる方向でロッキングカーブ測定を行う。このようにロッキングカーブ測定を行うことにより、基板の装置への取り付け方や基板に対する配向方向が被測定試料によって違うことによる誤差を補正するので、被測定試料間のロッキングカーブの半値幅の比較が可能となる。
【００５０】
（１０−１０）面のロッキングカーブ測定は、Ｘ線が全反射する条件で面内を透過するＸ線を用いて行うことができる。具体的には、水平に置いた被測定試料に対して垂直方向に発散するＸ線源を水平方向から入射すると一部が全反射するので、そのＸ線を利用する。また、検出器を（１０−１０）面相当の２θ位置に固定してφスキャンを行った。そして、六回対称のピークが測定され、最大強度を示すピーク位置に光学系を固定した後、２θおよびωを最適化して、ロッキングカーブ測定を行う。
【００５１】
全反射する条件でＸ線を入射させるのが困難な場合には、（１０−１２）回折結果から（１０−１０）回折データを推定して求めてもよい。
【００５２】
一般的に、ＩＩＩ族窒化物化合物半導体の場合、（０００２）面のＸＲＣスペクトル半値幅は結晶のティルト（成長した結晶面方位の成長方向に対する僅かな傾き）の指標となり、（１０−１０）面のＸＲＣスペクトル半値幅はツイスト（成長面内における結晶方向の僅かな傾き）の指標となる（Jpn.J.Appl.Phys. Vol.38(1999)L611）。
（サファイア基板）
本発明においては、まずサファイア基板（11）表面（１１ａ）を十分きれいに洗浄するのが好適である。洗浄に際しては、研磨剤の残りやサファイアの切りかすを代表例とするパーティクル；取扱時に付く表面傷、潜傷とよばれる非常になだらかな凹凸や微妙な組成変化；空気中に浮遊する有機物が表面についていく有機物の薄膜；ならびに工程で治具が接触することによって発生するパーティクルと環境に存在するゴミ、をできるだけ除去するのが好ましい。
【００５３】
さらに基板表面の平坦度については以下の条件を満足させるのが好適である。なお単結晶の方位としてはＣ面（0001）が好ましい。
【００５４】
ア  Ｒａが３Å以下、好ましくは２Å以下、さらに好ましくは１Å以下であること。
【００５５】
イ  適切なオフ角、好ましくは０．１〜０．７度、さらに好ましくは０．３〜０．６度を有すること。
【００５６】
ウ  各面のステップが原子間力顕微鏡（ＡＦＭ）等で観察できるレベルで明瞭についていること。その面密度は高ければ高いほどよい。
【００５７】
エ  オフ角をつけることで生成したステップ以外の突起は極力ない方がよい。
【００５８】
なおサファイア単結晶の結晶性については当然欠陥が少なければ少ないほど望ましいが、ヘテロエピタキシャル成長をさせる基板であるので上記の表面性を確保することが重要であり、基板の結晶性の微妙な差はエピタキシャル成長後のＧａＮ系半導体の特性に大きくは効いてこない。よってサファイア単結晶の成長方法はコストが最優先で決められるべき課題である。
【００５９】
本発明はサファイア基板の直径が１００ｍｍ以上である場合に特に効果を発揮する。
【００６０】
サファイア基板を真空中でプラズマを発生させる成膜装置に配置してＡｌＮ結晶シード層を形成する。サファイア基板表面を上記のように十分洗浄してあっても一般に基板を洗浄、乾燥し終わってから成膜装置に投入するまでに一定の時間がかかってしまう。クリーンルーム内で真空パックして、クリーンルーム内で取り出したとしても一般に表面は状況によってかなり広い範囲で変化してしまう。そこで真空装置に入れて成膜する直前にプラズマを用いてサファイア表面を整えるのが好適である。
【００６１】
表面プラズマ処理の条件については電圧の印加方法、ガスの種類、ガス圧、印加パワー、温度が重要なパラメーターとなる。
（電圧の印加方法）
チャンバー内にプラズマを起こす方法は大きく分けると印加する電圧がＤＣかＲＦか、チャンバーをアースした場合電圧を印加する対象が、ターゲットか基板かで4種類に分類される。サファイア基板が絶縁性であること、ならびにターゲットの原子が飛び出すと基板表面についてしまう可能性があるので目的から外れてしまうこと、の２つの理由からサファイア基板の表面を成膜の直前に整える目的のためにはＲＦ電圧を基板側に印加するのが望ましい。
（ガスの種類）
プラズマを発生させるガスの種類は特に制限されない。ただし、目的は表面の有機物を飛ばすことが主であり、サファイア基板表面の原子がたたき出されてしまうと表面のステップは乱れてしまうと考えられるので、反応性の高いガスの使用を避けるのが望ましい。また、不活性ガスであっても重い原子はやはり破壊力が勝ってしまうので望ましくない。Ｈｅ，Ｈ2が考えられるがプラズマ放電が安定しにくいという問題があり、安定するまでＡｒを混ぜるとＡｒの破壊力が問題になる。したがって、Ｏ2かＮ2が望ましい。しかし、Ｏ2はガスが微量でもチャンバー内に残ると次のＡｌＮのスパッターのときに結晶成長を阻害するおそれもあるので、Ｎ2プラズマを使った処理が最も望ましい。もちろんプラズマを安定に保つ目的でＡｒ等の希ガスを混合してもよい。
（印加パワー・ガス圧）
投入パワーは極力低い方がよく、プラズマが安定に保てる最低レベルでよい。本発明に用いるチャンバー・カソードのサイズでは投入パワーは10〜100Ｗ程度が最も適切な範囲である。ガス圧については高いと粒子は互いにぶつかり合って運動エネルギーを失なっていく。よって、ガス圧が低いと運動エネルギーの大きい粒子が基板表面を叩くことになるのでプラズマを安定に保てる範囲で高圧の方がよい。ただし、無理にガス圧を上げるとプラズマを安定に保つために大きいパワーが必要になる。パワーが100Wよりも高くなると表面を整える以上に欠陥を導入してしまうおそれがある。したがって、0.8〜1.5Paが最も適切な範囲である。
（温度）
サファイア基板の表面を整えるという目的のためには温度はあまり重要なパラメーターではない。室温から1000℃までのどの温度でも目的を達することができるが、好ましくは３００〜９５０℃である。ただし、成膜の直前という観点からすると次の成膜と同じ温度が望ましい。800℃を超えるとダメージが大きくなりすぎる可能性もある。また、表面プラズマ処理を別のチャンバーで行うことも可能であり、スループットを上げられる、温度を別に設定できる、という利点を有するが、表面プラズマ処理から次の成膜までの時間を要し表面の汚染が起こる可能性があるという不利がある。
【００６２】
続いてＡｌＮシード層（12）を成膜する。単結晶とは結晶粒界がない結晶のことですべての部分で同じ結晶方位を持っている結晶のことである。しかし、完全結晶ではない限り、何らかの欠陥は存在しておりその欠陥の配置によって微妙に結晶方位が結晶の中で変化していく。したがってどの程度欠陥が入ると多結晶でどこからが単結晶かを区切るのは実は難しい。ここではサファイア基板上のAlNシード層でＴＥＭ断面観察で少なくとも２００nm視野で粒界が見えないためには以下の条件を満足する必要がある。
【００６３】
Ｃ面の薄膜を考えた場合、いわゆる結晶性は（0002）面の回折ピークの幅がまず問題である。回折ピークが十分シャープになっているということは抜けのない面が面間隔が一定で並んでいるということである。次にどの場所でも同じ方向を向いているかの尺度がロッキングカーブのシャープさ（ＦＷＭＨ）になる。これが乱れていると勝手な方向に成長してしまう可能性があり、平滑な面を確保できない。したがってシード層としての結晶性では（0002）面と(10-10)面の両方について考慮する必要がある。(0002)面のFWHMは基板表面に対しての角度の分布を示す指標であるので、非常にシャープであることが前提条件となる。次に、（10-１0）面のロッキングカーブの半値幅は基板表面と垂直な方向から見た場合、部分的に回転している場所がどの程度あるかを示す指標になる。これは大きくなるとＣ軸方向に貫通する欠陥ができていくことになるので、リーク電流を極力少なくするためには重要なパラメーターである。しかしシード層としては不連続な境界がなければよいと考えられる。本発明のAlNシード層は（10-10）面のロッキングカーブの半値幅が1．７度以下の試料を平面TEMで200ｎｍ×200ｎｍの観察視野で不連続な粒界がないことを確認し得る。ＡｌＮの（0002）面と（10-10）面のX線回折のロッキングカーブの半値幅(FWHM)が好適にはそれぞれ100arcsecおよび1.7度以下であれば、その上にＧａＮ系半導体をエピタキシャル成長させることができ、ＬＥＤ構造を成長させた最後の層であるｐ−ＧａＮコンタクト層の結晶性がＸＲＣ  ＦＷＨＭが(0002)面、(10-10)面で好適にはそれぞれ60arcsecおよび250arcsecのレベルで得ることができる。
【００６４】
本発明のＩＩＩ族窒化物半導体積層構造体の製造方法においては、上記のＩＩＩ族窒化物半導体積層構造体を得るために、得られるＡｌＮ結晶膜中の酸素含有量が５原子％以下になるように制御するのが好適である。その制御方法は前記の方法によることができる。
【００６５】
本発明のＡｌＮシード層の製造法におけるその他の重要なパラメーターとしては、ターゲットの種類、電圧・磁場印加方法、ガスの種類、ターゲットと基板の距離、プラズマの形状とプラズマを閉じ込める体積、ガス圧力、印加パワー、成膜温度である。それらについて順次説明する。
（ターゲットの種類・電圧・磁場印加方法）
チャンバー内にプラズマを起こす方法は大きく分けると印加する電圧がＤＣかＲＦか、チャンバーをアースした場合電圧をかける対象がターゲットか基板か、で4種類に分類される。ＡｌＮを成膜するためのターゲットとしては高純度ＡｌＮをターゲットとする場合と高純度ＡｌをターゲットとしてガスにＮ2を入れてプラズマでＮ2を分解してＡｌとＮとを反応させる場合とが考えられる。高純度ＡｌＮ粉末を焼結しようとするとＣｅＯ2などの焼結助剤を入れる必要があり、高純度で緻密なＡｌＮターゲットを得るのが難しいという問題がある。それに対して、高純度Ａｌは６Ｎまで市販されている。本発明の目的のためには少なくとも５Ｎ以上の純度が好適である。ＤＣで放電を起こす場合はターゲットが導電体であることが必須である。したがって、ターゲットに高純度ＡｌＮを選ぶと必然的に電圧の印加はＲＦでなければならない。ターゲットが高純度ＡｌであればＤＣとＲＦの両方の可能性がある。ただし、Ａｌ表面でＡｌＮができて絶縁化されてしまう場合があり、そうなると電荷が溜まって落雷現象が起こり得る。したがって、ＤＣの場合はAlN膜が生成しないようにパルス印加が用いられ得る。ＤＣとＲＦの利点・不利な点は以下の通りである。
ＤＣの利点：電源が安価である。制御が楽である。カソードとアノードが明確であるのでプラズマで叩かれる場所と成膜する場所が決まる。不純物低減の設計がしやすい。
ＤＣの不利な点：放電が安定する範囲が狭い。運動エネルギーの範囲が狭い。
ＲＦの利点：放電が安定する範囲が広い。運動エネルギーの範囲が広い。
ＲＦの不利な点：電源が高価である。マッチングボックスが必要で放電が形成されるまでの時間が遅い。カソードとアノードが明確ではないのでシールドのどこからでもプラズマにより粒子が叩き出される。不純物の低減の設計が困難である。
【００６６】
ＤＣ，ＲＦともプラズマを安定にするためには磁場を作る必要がある。磁場のかけ方は永久磁石、電磁石の二種類があり、磁場を均一にするために磁石を動かす場合が多い。ターゲットが円形の場合は永久磁石を回転させるのが一般的であり、ターゲットが四角い場合には永久磁石を往復運動させるのが一般的である。永久磁石を適切に配置できない場合はコイルを外側に置いたＩＣＰ電極と呼ばれる形式がある。プラズマ密度は主に磁場の強さに依存するので膜厚を均一にするためには磁場の強さが均一になっている必要がある。色々な磁場発生法を組み合わせることもよく行われている。
【００６７】
以上を総合してＡｌＮシード層を成膜する場合は高純度Ａｌターゲットを用いたＲＦ放電が最も適している。
（ガスの種類）
プラズマを発生させるガスの種類は、ターゲットがＡｌＮならばＡｒ，Ｘｅ、Ｋｒ等の有効な質量を持つ希ガス（好ましくはＡｒ）のみでも可能である（以下、希ガスとしてＡｒについて説明する）が、ターゲットがＡｌの場合はＡｒとＮ2が必要である。Ｎ2のみであるとＡｌ原子が叩き出される前にＡｌＮとなってしまってほとんど成膜速度が出てこない。Ａｒのみであると金属Ａｌの薄膜が成膜される。Ｎ2の量を増やしていくとＡｌＮが形成されていくが、Ｎ2のガス分圧が低いとＡｌＮのＮ2が不足し膜に色がついてしまう。Ａｌで飛び出した原子を丁度窒素化するためには活性化したＮ2が叩き出されてくるＡｌ原子の数にあっている必要がある。過剰にあるとＡｌＮ結晶膜に欠陥が大量に導入されて着色される。したがって、ArとN2とを適切な比率で混合したガスを用いるのが好適である。適切な比率はガス圧と印加パワーによっても変化する。Ａｌが叩き出される速度は印加パワーには依存するが、ガス圧には依存しない。ところがＮ2の活性化率はガス圧が低い方が高い。したがって、ガス圧が低い場合にはＡｒの比率を下げるのが好適あり、印加パワーが高い場合もＡｒの比率を下げるのが好適である。ここで本発明に用いる窒素原料としては、一般に知られているＮＨ3などの化合物を用いることができる。窒素ガスを窒素原料として用いた場合、装置が簡便で済む代わりに、Ｎ2は非常に安定で活性化しにくいので高い反応速度を得るのが難しい。本発明においてはサファイア基板をプラズマの中に置くことにより、Ｎ2が基板表面近傍で活性化することを利用するので、Ｎ2もアンモニアには劣るが利用可能な程度の成膜速度を得ることができる。
（ターゲットとサファイア基板の距離）
サファイア基板が直径100mmの場合、全面を均一に成膜するためにはターゲットの大
きさは直径200mm程度が必要である。プラズマを安定にするために磁場をかけるのが一般的であるが、磁石を置く場所としてはターゲットの裏側になる。そうするとターゲット表面に磁場が集中するのでプラズマ密度もターゲット表面が高くなる。本発明では高エネルギーを持ったプラズマ粒子同士を基板表面で反応させるのが目的であるので、プラズマ密度ができるだけ高いところに基板を配置するのが好適である。ターゲットと基板の距離を離し過ぎると基板をプラズマ密度の高い所に置くことができなくなるので好ましくない。たとえば、直径200mmのターゲットに対してターゲットとサファイア基板の距離は40〜80ｍｍ程度が好適である。この距離は、本発明においては、サファイア基板をプラズマ中に置くことによりスパッター法によりＡｌＮ結晶膜が堆積されるので好ましい。
（プラズマの形状とプラズマを閉じ込める体積）
プラズマがチャンバーの壁面まで届いてしまうと壁面が汚れて其れを取り除くのは困難であるので、プラズマを閉じ込めるためにシールドを用いるのが一般的である。シールドはチャンバー壁面が汚れるのを防ぐためだけではなく、チャンバーにアースされていれば電極の働きをしており、プラズマの形状を規定する。真空度を上げるためには排気効率を良くする必要があり、そのためにはできるだけ小さいチャンバーの方がよい。しかしプラズマをあまり小さい所に閉じ込めるとシールドがプラズマで叩かれてシールドの成分が成膜される膜まで入ってしまう。特にシールド表面には必ず水分子が付いており、これがプラズマで叩かれて放出されると膜の中までOH,Oが入り込む。したがってターゲットに近接した寸法ではなく、ある程度離してシールドを配置するのが好ましく、少なくとも直径300mm程度以上が好ましい。
（ガス圧力・印加パワー）
ベース圧力が基本的には膜質を決めると考えられる。本発明では１×１０-5Pa以下、好ましくは５×１０-6Pa以下、の高真空が好適である。それより低真空度であると膜中に雰囲気から入る酸素などの不純物が成膜されたＡｌＮ中に入ってしまい、結晶に欠陥が導入されてしまうおそれがある。またベース圧力が十分下がっていてもプラズマを立てた時にシールド表面の水分などの不純物が叩き出されて膜質が低下することがある。
【００６８】
ガス圧力は高いとプラズマ中で粒子が衝突し合って運動エネルギーを失う。本発明のAlNシード層を成膜するためには、高い運動エネルギーを持ったAlとNとが基板表面で反応することが必要であるからあまり高いガス圧は好ましくない。しかし、あまりガス圧を低くするとN2のプラズマ粒子がAlターゲットに衝突して反応してしまう量も増えてしまうのでやはり好ましくない。したがって、一般的なスパッターガス圧である0.3〜0.8Paが適切である。印加パワーは成膜速度に比例するのであまり小さいと速度が十分得られない。雰囲気にあるO2、H2Oなどの残留ガス成分が不可避的に入り込むが、噛み込む量は時間当たりに一定だと考えられる。したがって、成膜速度が遅いと噛み込む量が相対的に増えるので膜中の純度が落ち好ましくない。できるだけ大きい成膜速度が必要であるので印加パワーは高い方がよい。ただし、あまり大きいパワーを印加するとシールドが直接プラズマで曝されるので、シールドから不純物が発生してしまう。したがって、適切な印加パワーは直径200mm程度のターゲットに対して500〜2500Wである。適切なガス圧が印加パワーによって変化する。印加パワーが大きいと適切な範囲でも比較的高いガス圧の方がよく、印加パワーが低い時は適切な範囲でも相対的に低いガス圧の方がよい。
（成膜温度）
成膜時の基板温度は、３００〜８００℃であることが望ましい。300℃未満の温度では、原子が基板に到達して単結晶を作るために移動する距離が十分ではなくなるので全面を覆うことができず、ピットが生成し始めやすい。基板表面で本発明のシード層を作製するという観点ではＡｌＮが分解し始める温度まで上げた方が有利であり、その温度は1200℃程度であるので、上限はもっと高い温度であるが、基板周りの固定ジグ、シールドも並行して温度が上がるためにそこからの脱ガスが多くなり不純物混入が増えてしまうので、あまり高い温度に設定しても結果は必ずしもよくならない。したがって、実際のプロセスでは800℃よりも上げない方がよい。ただし、より高温にしても高真空度が維持できる構造が達成できればより高い温度で成膜する方が結晶性を上げるのにさらに有利になると考えられる。
【００６９】
ＡｌＮ結晶膜の膜厚は１０〜５０ｎｍ、好ましくは２５〜３５ｎｍである。１０ｎｍより薄いと上に積むGaN結晶が（0001）面の結晶性を十分上げることが難しい。一方、５０ｎｍより厚いと上に積むGaNは（10-10）面の結晶性が悪化し始める。
【００７０】
本発明においては、ついでＡｌＮ結晶膜のシード層（１２）上に、ｎ型半導体層（１４）、発光層（１５）およびｐ型半導体層（１６）からなるＩＩＩ族窒化物半導体層（２０）を積層してＩＩＩ族窒化物半導体積層構造体（１０）を得る。サファイア基板（11）の上にシード層（１２）が形成されるとその上にＧａＮ系単結晶を成長させるのはホモエピタキシャル成長に近いので比較的容易である。広く行われているＭＯＣＶＤ法で欠陥密度の小さいＧａＮ系単結晶構造の成長が実現される。ＭＯＣＶＤ法は一般的な方法でよい。その概略は以下の通りである。
【００７１】
キャリアガスとして水素（Ｈ2）または窒素（Ｎ2）、ＩＩＩ族原料であるＧａ源としてトリメチルガリウム（ＴＭＧ）またはトリエチルガリウム（ＴＥＧ）、Ａｌ源としてトリメチルアルミニウム（ＴＭＡ）またはトリエチルアルミニウム（ＴＥＡ）、Ｉｎ源としてトリメチルインジウム（ＴＭＩ）またはトリエチルインジウム（ＴＥＩ）、Ｖ族原料であるＮ源としてアンモニアが用いられる。
【００７２】
また、ドーパント元素のｎ型不純物には、Ｓｉ原料としてモノシラン（ＳｉＨ4）またはジシラン（Ｓｉ2Ｈ6）を利用できる。ドーパント元素のｐ型不純物には、Ｍｇ原料として例えばビスシクロペンタジエニルマグネシウム（Ｃｐ2Ｍｇ）またはビスエチルシクロペンタジエニルマグネシウム（ＥｔＣｐ2Ｍｇ）を用いることができる。
【００７３】
また、その際に流通するキャリアガスは、一般的なものを使用することができ、ＭＯＣＶＤなど気相化学成膜方法で広く用いられる水素や窒素を用いてよい。基板温度は、ＧａＮが分解を始める温度よりも低い必要がある。ＧａＮは950℃を超えると微妙に分解はじめ、1000℃以上では確実に分解する。この分解温度はＧａＮの結晶性にも依存する、欠陥がある場所から分解が始まると考えられるので、欠陥が少ない結晶ほど分解温度が高い。したがって微妙に分解が始まる温度で成長させると、欠陥がある場所は分解し、欠陥がない場所だけが残ることになるので、欠陥を極力少なく成長させるためには温度の設定が極めて重要である。適切な温度で成膜することにより上記の機構により成長に従って欠陥を減らすことができる。
【００７４】
ＡｌＮ結晶膜シード層/ＧａＮ系単結晶界面近傍のＧａＮ系単結晶は相対的に多い欠陥を含んでいる。これを一定の厚さを成長させると徐々に欠陥が抜けて欠陥密度の非常に低い単結晶を得ることができる。欠陥を抜くために必要な厚さは最低でも2μｍは必要であり、十分な結晶性を得るためには４〜8μｍが通常使用する範囲である。これより厚くしても効果が薄くなり、ソリが大きくなる。極端な場合には結晶にクラックが入り始める。ソリがあまり大きいと電極を付ける素子化工程でのフォトリソグラフィが困難になる。
【００７５】
本発明のＡｌＮ結晶膜シード層の上に成長させたＧａＮ系単結晶膜の結晶性は極めてよい。ここで改めて結晶性を定量化するための指標を述べる。GaN結晶の（0002）面と（10-10）面のX線回折におけるロッキングカーブの半値幅FWHM(Full Width at Half-Maximum for(0002) and (10-10) diffraction)を使うことにする。（０００２）面のロッキングカーブ半価幅（ＦＷＨＭ）が１００ａｒｃｓｅｃ以下、好ましくは６０ａｒｃｓｅｃ以下であり、かつ（１０‐１０）面のロッキングカーブ半価幅が３００ａｒｃｓｅｃ以下、好ましくは２５０ａｒｃｓｅｃ以下である。(10-10)面のＦＷＨMは貫通転位の量と相関があるとされているので、これは貫通転位の量が極めて少ないことを意味する。発光効率はこの貫通転位の量と相関する。なぜならばｐ-GaN, ｎ-GaＮ間を流れた電流のうちどれだけが光に変換されたかが発光効率であるが、貫通転位を通じて流れてしまう電流があるとその分発光効率は下がることになるからである。
【００７６】
ここでGaN系半導体層の成長に関してはAlNあるいはGaNを使った低温バッファーの上に成長させた場合と基本的には同じである。ただし成長温度は分解を始める近傍の温度を選択するという考え方があるので、上記で説明したように欠陥密度が低いほど高くできる。本発明ではAlN結晶膜シード層から成長するので欠陥密度が比較的低い所から成長させることができるという特徴がある。
【００７７】
ここでもう一度AlN結晶膜シード層の結晶性との関係を述べる。従来のAlN又はGaNのバッファー層を使った場合はバッファー層の結晶性はFWHMで表示すると(0002)面で数千〜数万arcsecのオーダーで、(10-10)面ではFWHMが測定できない。ところがAlN結晶膜シード層の結晶性は（0002）面と（10-10）面のX線回折のロッキングカーブの半値幅(FWHM)がそれぞれ１００arcsecおよび1.７度以下である。（0002）面についてはＧａＮ結晶がその結晶を引き継げばよい。(10-10)面についてはＧａＮを成長させている間に減っていく。MOCVDで成長中に欠陥を減らしていく機構が同一であってもスタート時点で残っている欠陥の密度が全く異なるので、多結晶になったものはどんなに適切な条件で厚く積んでも(10-10)面のＦＷＨMを300arcsec以下にすることは極めて難しい。
【００７８】
本発明においては、ＡｌＮ結晶膜のシード層（１２）上に、ｎ型半導体層（１４）、発光層（１５）およびｐ型半導体層（１６）からなるＩＩＩ族窒化物半導体層（２０）を積層してＩＩＩ族窒化物半導体積層構造体（１０）を得る。たとえば、シード層（１２）の上に、ｎ型コンタクト層（１４ｂ）、ｎ型クラッド層（１４ｃ）、障壁層（バリア層）（１５ａ）と井戸層（１５ｂ）とからなる発光層（１５）、ｐ型クラッド層（１６ａ）およびｐ型コンタクト層（１６ｂ）からなるＧａＮ系半導体層（２０）を成膜する。以下に、その好適な実施態様例について説明するが、これらに限定されるものではなく、成膜方法も一般的なＭＯＣＶＤ法でよい。
（ｎ型半導体層）
ｎ型コンタクト層（１４ｂ）およびｎ型クラッド層（１４ｃ）を含むn型半導体層（１４）において、ｎ型コンタクト層（１４ｂ）の下に下地層（１４ａ）を設けることができる。下地層（１４ａ）に用いる材料としては、即ちＧａＮ系化合物半導体が用いられ、特に、ＡｌＧａＮ、又はＧａＮを好適に用いることができる。下地層の膜厚は０．１μｍ以上が好ましく、より好ましくは０．５μｍ以上であり、１μｍ以上が最も好ましい。
【００７９】
ｎ型コンタクト層（１４ｂ）は、Ｓｉ、Ｇｅ等のｎ型不純物がドープされていることが好ましく、また下地層及びｎ型コンタクト層を構成するGaN系半導体は同一組成であることが好ましい。これらの合計の膜厚は特に制限されないが、１〜２０μｍとするのが好ましい。
【００８０】
ｎ型コンタクト層（１４ｂ）と発光層（１５）との間には、ｎ型クラッド層（１４ｃ）を設けられる。その膜厚は、特に限定されないが、好ましくは５〜５００ｎｍである。
（ｐ型半導体層）
ｐ型クラッド層（１６ａ）及びｐ型コンタクト層（１６ｂ）はｐ型半導体層（１６）を構成する。ｐ型クラッド層（１６ａ）としては、そのバンドギャップエネルギーが発光層（１５）のバンドギャップエネルギーより大きくなる組成であり、発光層（１５）へのキャリアの閉じ込めができるものであれば特に限定されない。たとえばＡｌＧａＮが好適に使用される。ｐ型クラッド層（１６ａ）の膜厚は、特に限定されないが、好ましくは１〜４００ｎｍである。
【００８１】
ｐ型コンタクト層（１６ｂ）としては、たとえばＧａＮ、ＡｌＧａＮが好適に使用され、その膜厚としては５０〜３００ｎｍが好ましく、さらに好ましくは１ ００〜２００ｎｍである。ｐ型不純物としては、特に限定されないが、好ましくはＭｇが挙げられる。
（発光層）
発光層（１５）も特に制限されないが、障壁層（バリア層）（１５ａ）となるｎ型ＧａＮ層と井戸層（１５ｂ）となるＧａＩｎＮ層を交互に積層させた多重量子井戸構造を有するのが好適である。
【００８２】
ＧａＩｎＮ層の成長ではＴＭＩを供給するのが好適であり、成長時間を制御しながら、断続的にＩｎを供給する。キャリアガスはN2が好適ある。バリア層（ｎ型ＧａＮ層）と井戸層（ＧａＩｎＮ層）の膜厚は発光出力が最も高くなる条件を選択する。最適膜厚が決定されたうえで、ＩＩＩ族の原料供給量と成長時間を適宜選ぶことができる。成長温度はサセプターの温度で７００℃から１０００℃の間が好ましい。しかし、井戸層の成長においては高い温度ではＩｎが成長膜中に取り込まれにくくなり、所定の波長を発光させるために必要な量のInを固溶させることができなくなる。そのため、成長温度はあまり高くならない範囲内で選択される。バリア層の方はできるだけ高い温度の方が結晶性を維持しやすいが、あまり高くすると井戸層のGaInNが分解してしまうからである。発光層（１５）は最後にバリア層（15ａ）を成長させて終了させる（最終バリア層）のが好適である。
【００８３】
ｐ型コンタクト層（１６ｂ）の成長はたとえば次のように行うのが好ましい。ＴＭＧ、ＴＭＡおよびドーパントであるＣｐ2Ｍｇを、キャリアガス（水素または窒素、ないしは両者の混合ガス）およびＮＨ3ガスとともに上記のｐ型クラッド層（１６ａ）上に送りこむ。この時の成長温度はサセプターの温度で９８０〜１ １ ０ ０℃の範囲が望ましい。ウエハーの温度では８３０〜９７０℃である。それより低い温度であると、結晶性の低いエピタキシャル層が形成されてしまい、p-GaNのホール密度が上がらなくなるおそれがある。また高い温度では、下層に位置する発光層のうち、井戸層のＧａＩｎＮが分解してＩｎが析出してしまう可能性がある。
【００８４】
成長圧力については、特に制限はないが、好ましくは５０ｋＰa（５００ｍｂａｒ）以下がよい。ドーパントとして送りこんだＭｇが５０ｋＰa（５００ｍｂａｒ）以下の成長条件であると、ｐ型コンタクト層中の２次元方向（成長基板の面内方向）のＭｇ濃度分布が均一になるからである。
【００８５】
なお、成長速度の決定は、ウエーハー断面のＴＥＭ観察または分光エリプソメトリーによりｐ型コンタクト層の膜厚を計測し、成長時間で割り返して求める。また、ｐ型コンタクト層中のＭｇ濃度は一般的な質量分析装置（ＳＩＭＳ）によって求めることができる。
（透明電極/正極ボンディングパッドおよび負極ボンディングパッドの作成）
このようにして得られた積層半導体層（２０）のｐ型コンタクト層（１６ｂ）の上に、フォトリソグラフィー法を用いて透光性正極（１７）を作製する。後述するように、透光性正極（17）上には正極ボンディングパッド（１８）が形成される。
【００８６】
透明電極を成膜するためのスパッタリングは、従来公知のスパッタリング装置を用いて従来公知の条件を適宜選択して実施することができる。窒化ガリウム系化合物半導体層を積層した基板をチャンバー内に収容する。チャンバー内は真空度が１０-4〜１０-7Ｐａとなるまで排気する。Arガスをチャンバー内に導入し、０．１〜１０Ｐａにした後に放電を行う。好ましくは０．２〜５Ｐａの範囲に設定する。供給する電力は０．２〜２．０ｋＷの範囲が好ましい。この際、放電時間と供給電力を調節することによって、形成する層の厚さを調節することができる。
【００８７】
次に、フォトリソグラフィとドライエッチングによりｎ型コンタクト層（１４ｂ）上の露出領域（１４ｄ）を露出させる。保護膜を全面に成膜後フォトリソグラフィによりパッド成膜部分を取り除き、真空蒸着により正極ボンディングパッド（１８）および負極ボンディングパッド（１９）を透光性正極（１７）上およびｎ型コンタクト層（１４ｂ）上に同時に形成する。あるいは、上記の保護膜を用いないで、それぞれ正極ボンディングパッド（１８）および負極ボンディングパッド（１９）を作製することもできる。
【００８８】
電極を作製した半導体ウェハーを用いて、常法によりチップに分離して、図２に示す発光素子１が得られる（上記保護膜を用いない場合）。
【００８９】
なお、本発明の発光素子の製造方法は、上述した例に限定されるものではなく、GaN系半導体層の成膜は、スパッタ法、ＭＯＣＶＤ法（有機金属化学気相成長法）、ＨＶＰＥ法（ハライド気相成長法）、ＭＢＥ法（分子線エピタキシー法）等、半導体層を成長させることのできる如何なる方法とを組み合わせて行なってもよい。
【００９０】
本発明の製造方法においては、上記のＩＩＩ族窒化物半導体積層構造体を製造するに際し、下記（Ａ）〜（Ｄ）から選ばれる少なくとも１種の方法を用いてｐ型半導体層におけるｐ型ドーパントのキャリア濃度を、１×１０1７/cｍ３未満から、発光強度と結晶性の点から好適な範囲である１×１０1７/cｍ３〜１×１０21/cｍ３に、容易に増大化させることができる。ｐ型半導体層の電気抵抗率は、望ましくは0.1Ωｃｍ〜２０００Ωｃｍであり、特に望ましくは１Ωｃｍ〜50Ωｃｍである（一般的なＴＬＭ（Transfer Length Measurement）法によって測定する。）。
【００９１】
(Ａ）ｐ型半導体層の成膜をN2主体のキャリアガスを用いて行なう。
【００９２】
(Ｂ）ｐ型半導体層の成膜終了後の冷却中の雰囲気をN2主体にする。
【００９３】
(Ｃ）得られたＩＩＩ族窒化物半導体積層構造体を熱処理する。
【００９４】
(Ｄ）得られたＩＩＩ族窒化物半導体積層構造体をN2プラズマ処理する。
（Ａ）ｐ型半導体層の成膜をN2主体のキャリアガスを用いて行なう。
すなわち、ｐ型半導体層の成膜に際して、N2を主体とするキャリアガスを用いることにより、ＭｇとＨとの複合体の形成を阻止して、ＭｇをＧａサイトに入り易くさせ、熱処理無しにＭｇを活性化させることができる。N2が主たるキャリアガスであればよく、たとえば、N2に対して３vol%程度以下の少量の水素ガスを併用することもできる。
（Ｂ）ｐ型半導体層の成膜終了後の冷却中の雰囲気をN2主体にする。
【００９５】
アンモニア等の水素原子を含有する窒素源を使用し、ｐ型ドーパントを含むＩＩＩ族窒化物半導体を成長させたｐ型半導体層の成膜終了後に、N2主体の雰囲気で室温まで降温し、ついでＩＩＩ族窒化物半導体積層構造体が成長装置から取り出される。成長時にキャリアガスとして水素ガスを含有している場合、水素ガスは７００℃以上では還元による、強いエッチング作用を有するので、成長終了後に成長温度と同じ温度においてキャリアガスを水素ガスを含有しない不活性ガスに切り替えるのが通常であり、キャリアガスを置換する不活性ガスとしては、N2が好ましいが、アルゴンまたはヘリウム等およびこれらの混合物を用いることもできる（７００℃未満であれば、N2に対して３０vol%程度以下の水素を併用することもできる。）。成長終了後の温度の保持時間が長いと、結晶性の低下を招くおそれがあるので、キャリアガスの切り替え直後に降温を開始するのが好適である。
（Ｃ）得られたＩＩＩ族窒化物半導体積層構造体を熱処理する。
【００９６】
熱処理は１００〜１０００℃、好ましくは４００〜７００℃、の温度で、１分から３０分間程度行なわれる。Ｎ2、Ｈｅ、Ｎｅ、Ａｒ等の不活性ガス、またはこれらの混合ガス雰囲気中で行われ、好ましくは窒素雰囲気中で行なわれる。熱処理は、電極形成のような別の工程に付随して行なうことができ、熱処理の場所もＭＯＣＶＤ炉の内外を問わない。
【００９７】
熱処理は、電場を印加しながら行なうこともできる。たとえば、高周波（RF）を用いて、真空中で100〜1000℃で10秒から10分間、熱処理される。高周波電界の周波数は好ましくは１０ｋＨｚ〜４００ＭＨｚ程度である。高周波電界の印加によりｐ型不純物が活性化し、キャリア濃度が増大し得る。
【００９８】
また、熱処理は順方向に電流を流しながら行なうことができる。たとえば、５ｍＡ以上の順電流を流しながら、３００℃以上で熱処理することができる。
【００９９】
さらに熱処理はＵＶ照射しながら行なうことができる。ＵＶの波長は２００〜３５０nmが好適である。
（Ｄ）得られたＩＩＩ族窒化物半導体積層構造体をN2プラズマ処理する。N2プラズマはN2/O2 (5:3)プラズマのように酸素を含むものであってもよく、たとえば１０Pa、１００W、４００℃の条件で行うことができ、特に制限されない。
【０１００】
GaN単結晶は、以下の理由によりｐ型ドーパントをドープしても高抵抗を示すといわれている。
ア  GaＮ系結晶はGaNのNが飛びやすく、結晶中に窒素（Ｎ）空孔ができやすい。このＮ空孔が存在すると不純物をドープしなくても低抵抗のｎ型半導体となりやすい。このためｐ型不純物をドープしても単純にはP型半導体にならず、ｎ型を絶縁体にするという結果になりやすい。
イ  ＧａＮ系半導体の成長中または成長後にＮ源であるＮＨ３ が分解すると、Nを供給すると同時に水素原子が発生し、ｐ型ドーパントであるＭｇとこの水素原子が結合して、これらｐ型ドーパントがアクセプターとして機能するのを妨げ、その結果このｐ型不純物をドープしても半導体とはならずに高抵抗を示す。
【０１０１】
したがって結晶性が良くなるにしたがってアの要因は少なくなっていく。すなわちGaNのNがぬけたＮ空孔を極力排除すれば、低抵抗のｐ型半導体ができやすくなる。
【０１０２】
MgとHとがGaNの結晶の中でどのような結合状態で存在しているかを具体的に調べようとする数多くの試みがなされている。たとえば、Van Vechtenらは点欠陥、原子の位置ズレ、格子間原子、複合化合物などとMgとHとの相互作用を理論的に考察し、Ｎ空孔があるとMgが入りにくく、HがＮ空孔を固定してMgが入るのを助けることを予測した。GaNにドープしたMgがMg-Hとなってしまうのでｐ型の半導体にならないという機構が提案されたが、Mg-Hの実体は不明確であった。それについてもMg-Hが具体的にどのような結合状態でいるのかいろいろな角度から検討がなされている。Gotzらは１９９６年にFT-IR測定により、熱処理前と熱処理後のサンプルを測定し、熱処理前に明確に現れる３１２５ｃｍ−１のピークがMgとHの化合物に対応するものであるとした。このピークは熱処理によって小さくなる。さらにHarimaらは１９９９年に熱処理前と熱処理後のサンプルを熱処理温度を変えて、Raman分光測定した結果、２６０と６５７ｃｍ−１のピークが熱処理によって現れ、このピークはMg-Nを反映したものであり、電気抵抗率と非常に良く対応することを示した。したがってHが抜ける前の複合化合物はMg-N-Hであり、Hが抜けてMg-Nになるとしている。
【０１０３】
このように、１０＋１７/cｍ３のキャリア濃度を得るために2x１０＋２０/cｍ３のMgをドープしなければならないのはGaNのNが抜けているＮ空孔が多数存在するためであり、Hの挙動についてもこの欠陥との相互作用が入るので挙動が複雑になると考えられる。すなわちＮ空孔を現状よりも一桁以上減らすことができればｐ-GaNの製造方法も様相が多く変わることが予測できる。
【０１０４】
Ｎ空孔を極力減らすために最も重要な条件はｐ-GaNを成長させるときの元となる結晶の結晶性ができるだけ良いことである。本発明は、XRC(0002)面のFWHMが60arcsec以下になっているｐ-GaN結晶を使うとN2プラズマ処理等の上記処理が有効に働くことを見出し、本発明を達成したものである。
【０１０５】
本発明の方法により、たとえば、サファイア基板にAlNシード層を成膜し、アンドープGaN/n-Ｓｉ-ドープGaN/n-Si-ドープ InGaN/MQW（InGaN/ｎ-Si ドープGaN）/p-Mg-ドープAlGaN/p-Mg-ドープ GaNの構造のLEDを作成する。AlN単結晶シード層を使うことにより出来上がったP-GaNの結晶性はきわめてよく、XRC(0002)面と（10-10）面のFWHM が60arcseｃと250arcsec以下の結晶を得ることができる。成膜終了後の冷却は空孔を極力減らすことが重要である。TMGとCp2Mgを切り、H2キャリアをN2キャリアに変更後、NH３,N2雰囲気で電源を切って自然冷却させるのが好ましい。H2キャリアを流したままでも問題ないが、NH３を切ってしまうとＮ空孔が増える可能性があるので望ましくない。
【０１０６】
窒素プラズマの発生は真空中でN2ガスを導入し、RF電場をかけることによる。窒素以外の元素が打ち込まれるのを極力防ぐためにはガス導入前のベース真空度は極力高い必要がある。最低でも2x10-5Paよりもよい真空度が必要である。10-5Paよりも高い真空度を得るためには、真空容器壁面からの脱ガスが問題となる。脱ガスを完全に行うためには真空に引いてから真空ベークを200℃以上に加熱する必要がある。その場合耐熱性の問題で装置の構造上Oリングを使うことができない。Oリングを使わないと非常に高価な装置になってしまう。したがってチャンバーベークは100℃が限界であり、その場合は到達真空度は１０-6Paが限界である。さらに真空が十分高くてもプラズマを起こしたときにシールドがプラズマで叩かれて表面に付着していた水分が叩き出されることがある。それを防ぐためにはプラズマが接触するすべての部品を200℃以上に真空中で加熱するのが好ましい。MBEのように容器ごと加熱すると確実であるが、構造上Oリングを使う場合はチャンバーそのものの温度は100℃までであり、プラズマと接触する部材（シールド、ウエハーホルダーなど）のみを加熱する構造が必要である。シールドの材質としてはAlが最適である。表面の水分がプラズマの中に入り込まないことだけならば200℃の加熱に耐えれば何でもよいが、シールド材質もプラズマで叩かれて結晶に混入してくる可能性がある。その場合、混入しても問題が少ない元素はAlだけである。Fe、Cr、Ni、Moなどの重金属は極めて微量でもP-GaNの特性に影響を与える。しかし、ウエハーホルダーなどのウエハー近辺やヒーターまわりは温度が600℃以上になると、Alでは溶けてしまう。したがって、チタン, ステンレス、モリブデンなどの耐熱性の高い金属部材にAlNの皮膜を形成するのが最適である。窒化アルミの皮膜は金属AlのターゲットにAr+N2ガスで反応スパッターして形成することもできるし、AlNの溶射で形成することもできる。また、ウエハーを直接置くウエハーホルダーなどは不純物混入源になる可能性が最も高い部材であるので特に注意する必要がある。この場合高純度AlNの成型体が最適である。一般にAlNの焼結体は焼結助剤としてCeO2などが添加されており、Ceは不純物として最も嫌うものの一つであるのでこのような不純物が入っていないものを慎重に選択するのが好適である。
【０１０７】
放電中の脱ガスは4重極質量分析計によって確認できる（たとえばＩｎｆｉｃｏｎ社製「Transpector XPR3」）。検出感度は10ｐｐｍである。放電中のガス分析でN以外のものが検出されないのが好適である。
【０１０８】
混入し得る不純物で留意するべき元素は酸素であるが、次はCである。シールド類は一般にブラスト処理などをして表面面積を大きくしているので、空気中に出したときに有機物が表面に付着する。その有機物がプラズマに晒されたときプラズマ中にCが混入する。そうするとＮ空孔をつぶすための処理であるのにその場所にCを打ち込んでしまうことになる。
【０１０９】
OとCの混入経路としてもう一つ留意すべきことは、MOCVD炉からウエハーを取り出して、N2プラズマ処理装置に移すときに、表面が酸化し、有機物が付着しやすいことである。N2プラズマでこの汚染物が飛ばされれば問題ないが、プラズマの中で打ち込まれてしまうことがある。それを防ぐためには初期にH2プラズマを非常に弱くかけてからN2へ切り替えるとか、N2プラズマのパワーを初期は極めて弱くすることが好ましい。
【０１１０】
プラズマを起こすためにはN2を導入してガス圧力を0.１〜10Paに維持して電圧を印加する。ウエハーがある隣の部屋でプラズマを発生させてプラズマのみを導入する方法もある。そのときチャンバーと部屋の間で電場をかけてイオンを捕捉し、中性の活性N2のみを導入するとプラズマダメージを軽減することができる。MBEなどのN源の供給方法としてよく利用されている。またウエハーホルダーとシールドとの間で電圧をかけて放電を起こしても良い。ｐ-GaNが活性化されるまではウエハーは絶縁体であるのでイオンや電子などの電荷を持った粒子が打ち込まれるとチャージアップしてしまう可能性がある。したがって交流電場を印加するのが好ましい。
【０１１１】
PN間に電子が動くことが活性化を加速するとの考え方に立っているのでプラズマに晒すことで電子やイオンをRF電場の下で打ち込むことはNを打ち込んでＮ空孔を補修することと併せて活性化を進める方向に働く。放電を起こすための電場がウエハー表面を横切るように電極を配置すると活性化をより促進することができる。
【０１１２】
磁場のある場所にプラズマは閉じ込められるのでプラズマの発生する場所と濃度を規定する方法として磁場を利用することが広く行われている。永久磁石と電磁石とで発生する方法がある。ウエハーの裏に永久磁石を配置してウエハー表面に磁場を発生させるのがもっとも効率がよいが、ヒーターもウエハーの裏が最も効率が良い。磁石はキューリー点があり、一定の温度以上では磁化を失うのでヒーターと磁石とを並列することができない。磁石は水冷する必要があるが、そのためにその近辺が全体に冷やされプラズマに晒されるすべての部材を200℃以上にするのが難しくなる。
【０１１３】
プラズマダメージを極力減らすためには温度はできるだけ高いほうがよい。しかし800℃を超すとGaNの分解が始まるのでＮ空孔がかえって増えてしまう。Mg-N-HのHのみを抜くのが目的であるが、あまり温度が高いとNHで抜けてしまい、Mg-Ｎ空孔の結合ができてしまう。最適な温度はプラズマ条件、PIN接合間にかかっている電場によって大きく異なる。
【０１１４】
本発明の発光素子は、上述の発光素子の他、レーザ素子や受光素子等の光電気変換素子、または、ヘテロ接合ハイポーラトランジスタ（ＨＢＴ）や高電子移動度トランジスタ（ＨＥＭＴ）等の電子デバイスなどに用いことができる。これらの半導体素子は、各種構造のものが多数知られており、本発明に係る発光素子の構造は、これら周知の素子構造を含めて何ら制限されない。
【０１１５】
本発明の発光素子は、例えば当業界周知の手段により透明カバーを設けてランプにすることができる。また、従来より、発光素子と蛍光体と組み合わせることによって発光色を変える技術が知られており、このような技術を何ら制限されることなく採用することができる。例えば、蛍光体を適正に選定することにより、発光素子より長波長の発光を得ることも可能となり、また、発光素子自体の発光波長と蛍光体によって変換された波長とを混ぜることにより、白色発光を呈するランプとすることもできる。
【０１１６】
また、ランプとしては、一般用途の砲弾型、携帯のバックライト用途のサイドビュー型、表示器に用いられるトップビュー型等、何れの用途にも用いることができる。
【０１１７】
本発明の窒化ガリウム系化合物半導体発光素子から作製したランプは発光出力が高く、駆動電圧が低いので、この技術によって作製したランプを組み込んだ携帯電話、ディスプレイ、パネル類などの電子機器や、その電子機器を組み込んだ自動車、コンピュータ、ゲーム機、などの機械装置類は、低電力での駆動が可能となり、高い特性を実現することが可能である。特に、携帯電話、ゲーム機、玩具、自動車部品などの、バッテリ駆動させる機器類において、省電力の効果を発揮する。
【実施例】
【０１１８】
実施例１（N2プラズマ処理）
（１）ＡｌＮ結晶膜シード層
直径100ｍｍ厚さ0.9ｍｍのC面サファイア基板（１１）を用意した。基板はオフ角0.35度で切り出してあり、表面（１１ａ）はRa≦２Åであった。この基板を投入直前に純水を500rpmで回転している箇所にかけて洗浄し、その後2000rpmに回転数を上げて乾燥した。５Nの高純度Alのターゲットがついたスパッター機にセットしてシード層（１２）を成膜した。ターゲット直径は200mmでターゲットとサファイア基板の距離（ＴＳ距離）は60mmである。表面プラズマ処理の印加方法としてはサファイア基板とチャンバーの間にRFパワーを印加した。AlNシード成膜の印加方法はターゲットとチャンバーの間にRFパワーを印加した。成膜条件は次のとおりであり、表面を整えるための表面プラズマ処理とＡｌＮ成膜のための処理の2段階になっている。
【０１１９】
（表面プラズマ処理）
ヒーター温度  ６００℃、Ａｒ流量  ０ｓｃｃｍ、Ｎ2流量  ７５ｓｃｃｍ、印加パワー  ３０Ｗ，トータルガス圧  １．０Ｐａ、ベース圧力  ４×１０-6Pa、ＴＳ距離  ６０ｍｍ、印加時間１５秒
（ＡｌＮ成膜）
ヒーター温度  ６００℃、Ａｒ流量  ２５ｓｃｃｍ、Ｎ2流量  ７５ｓｃｃｍ、印加パワー  １５００Ｗ，トータルガス圧  ０．５Ｐａ、ベース圧力  ４×１０-6Pa、ＴＳ距離  ６０ｍｍ、印加時間１００秒
処理終了後、装置からウエハーを取り出し、XRD測定を行った。得られたAlNシード膜の特性は次のとおりであった。
【０１２０】
Ｒａ  １．２Å、酸素濃度  ２．８原子％、ＦＷＨＭ（０００２）３１arcsec、ＦＷＨＭ（１０−１０）１．４度
図３および図４は、それぞれ得られたＡｌＮ結晶膜のシード層（１２）の縦断面ＴＥＭ写真および平面ＴＥＭ写真を示す。図3において見られる2つの層は、下層がサファイア基板、上層がAlN結晶膜シード層を示す。図3の視野は約６０nmであるが、それをずらしながら4視野観察したが、格子像の濃淡は見られず結晶粒界は観察されなかった。図4においては50nm x 60nmの視野であるが、少しずつずらして２００ｎｍ四方観察した結果、柱状結晶に対応する結晶粒界は観察できなかった。
（２）GaN系半導体積層構造体
次にMOCVD法によりGaN系半導体層（２０）を成長させた。成長条件は次のとおりである。
【０１２１】
（ア  下地層（１４ａ）（アンドープGaN））
トータルガス圧力  ４００mbar；サセプター温度  １１００℃；H2流量  ３０slm；N2流量  ０slm；TMG流量  ３００sccm；NH3流量  ７slm；SiH4流量  ０sccm
（イ  ｎ−コンタクト層（１４ｂ）（n−GaN））
トータルガス圧力  ４００mbar；サセプター温度  １１００℃；H2流量  ３０slm；N2流量  ０slm；TMG流量  ３００sccm；NH3流量  ７slm；SiH4流量  １２０sccm
（ウ  n−クラッド層（１４ｃ））
トータルガス圧力  ４００mbar；サセプター温度  ７６０℃；H2流量  ０slm；N2流量  ５０slm；TMG流量  ０sccm；TEG流量  ２５０sccm；NH3流量  １８slm；TMI流量  ２０sccm；SiH4流量  ５０sccm；Cp2Mg流量  ０sccm
（エ  発光層（１５））
トータルガス圧力  ４００mbar；サセプター温度  ７６０/９８０℃；H2流量  ０slm；N2流量  ５０slm；TMG流量  ０sccm；TEG流量  １５０sccm；NH3流量  １８slm；TMI流量  １２０/０sccm；SiH4流量  ０/３０sccm；Cp2Mg流量  ０sccm
（オ  ｐ−クラッド層（１６ａ））
トータルガス圧力  ４００mbar；サセプター温度  １０４０℃；H2流量  ３０slm；N2流量  ０slm；TMG流量  １８０sccm；TEG流量  ０sccm；NH3流量  ２１slm；TMI流量  ０sccm；SiH4流量  ０sccm；Cp2Mg流量  １３０sccm
（カ  ｐ−コンタクト層（１６ｂ））
トータルガス圧力  ４００mbar；サセプター温度  １０４０℃；H2流量  ３０slm；N2流量  ０slm；TMG流量  １８０sccm；TEG流量  ０sccm；NH3流量  ２１slm；TMI流量  ０sccm；SiH4流量  ０sccm；Cp2Mg流量  ２６０sccm
なお、成長速度はいずれも２μｍ/hrであった。
【０１２２】
Ｇａの原料として、有機金属材料であるトリメチルガリウム（ＴＭＧ）、Ｎ源として、アンモニア（ＮＨ3）を用いた。キャリアガスはH2である。さらにドーパントを添加してｎ−コンタクト層（１４ｂ）（n-GaN）層を成膜した。ｎ型半導体層にはドーパント材料として、Ｓｉを用いた。Ｓｉ原料としてモノシラン（ＳｉＨ4）用いた。ドーパントはキャリアガスとともに供給されるが、その供給濃度はＴＭＧ供給量との比率で制御した。
【０１２３】
さらにｎ-クラッド層/MQW/ｐ-クラッド層/ｐ-GaN層の成長させた。MQWの成長までのキャリアガスは窒素に切り替えた。
【０１２４】
積層構造体は、サファイアのC面（（０００１）結晶面）からなる基板上に、ＡＩＮ単結晶のシード層25nm,  その上にアンドープＧａＮ下地層（膜厚＝６μｍ）、Ｓｉドープｎ型ＧａＮコンタクト層（膜厚＝２μｍ）、Ｓｉドープｎ型l n0.01Ga0.99Nクラッド層（膜厚＝50ｎｍ）、６層のＳｉドープＧａＮバリア層（膜厚＝１４．０ｎｍ）と５層のアンドープln0.20Ga0.80Nの井戸層（層厚＝２．５ｎｍ）からなる多重量子構造の発光層、Ｍｇドープｐ型A l 0.07Ga0.93Nクラッド層（層厚＝１０ｎｍ）及びＭｇドープｐ型AI0.02Ga0.98Nコンタクト層（層厚＝１５０ｎｍ）を積層して構成した。
【０１２５】
Mgドープｐ型クラッド層を成長させるためにサセプター温度を980℃から1040℃に昇温する。昇温と同時にキャリヤアガスをN2からH2にきりかえ、その後TMGとTAG、Cp2Mgを所定量ながしてＭｇドープＡlGａＮ層からなるクラッド層、コンタクト層の気相成長を終了させた後、MOガスの導入を切り、電源を切ることで自然冷却した。
【０１２６】
（N2プラズマ処理）
MOCVD炉からウエハーを取り出し、N2プラズマ処理装置に移した。ベース圧力は7x10-６Paになっている真空装置で、ウエハーをＡｌＮ製のウエハーホルダーに載せ、ロードチャンバーからロボットのあるトランスファーチャンバーに移し、ついでプラズマ処理チャンバーに移した。PBN（熱分解窒化ホウ素）コートのカーボン平面ヒーターにウエハーを密着させる形でチャックした。チャックの材質はMoであり表面をAlN溶射でコートされている。ウエハーの対面60mmのところに表面Alの板の裏に永久磁石を配置し、Al板には配管を通して冷却水を流した。はじめにダミー基板を入れてチャックした後、Al板とチャンバーの間にDC電圧を印加してAｒガスを0.5Paで導入し放電を起こしてAl板の表面をスパッターでたたき出し、表面をエッチングした。その他のシールドはチャンバーから熱的に浮かし、ダミー基板が1000℃になるまで加熱した。その結果、すべてのシールドが200℃以上に加熱された。
【０１２７】
ダミー基板を取り出し、GaN系積層構造体ウエハーを投入し、その後N2を導入しウエハーホルダーのチャックとシールドとの間にRF電圧をかけて放電させて、N2プラズマ処理した。放電条件は次のとおりであった。
【０１２８】
温度１００℃、N2ガス圧力  ３．０Ｐａ、パワー５０Ｗ，時間６０秒
なお、ｐ−GaNコンタクト層のロッキングカーブ半値幅は、（０００２）面と（１０−１０）面でそれぞれ４５arcsecおよび２１５arcsecであった。
（３）ＬＥＤチップ
上記のｐ型コンタクト層を備えたエピタキシャル積層構造体ウエハーを用いてＬＥＤチップを作製した。先ず、ｐ型コンタクト層上に、スパッタ法によってＩＴＯよりなる正極を形成した。以下の操作により、窒化ガリウム系化合物半導体上に、ＩＴＯよりなる導電性透光性酸化物電極層の形成を行った。
【０１２９】
まず、公知のフオトリソグラフィー技術及びエッチング技術を用いて、ｐ型ＡＩＧａＮコンタクト層上に、ＩＴＯからなる導電性透光性酸化物電極層を形成した。導電性透光性酸化物電極層の形成では、まず、窒化ガリウム系化合物半導体を積層した基板をスパッタリング装置内に入れ、ｐ型ＡlＧａＮコンタクト層上に初めにＩＴＯおよそ２ｎｍをＲＦスパッタリングにより成膜し、次にＩＴＯおよそ４００ｎｍをＤＣスパッタリングにより積層した。なお、ＲＦ成膜時の圧力はおよそ0.3Ｐａ、供給電力は０．５ｋＷとした。ＤＣ成膜時の圧力はおよそ０．８Ｐａ、供給電力は1．５ｋＷとした。一緒にガラス上に成膜したITO膜を測定したところ460nmの光の透過率93%、抵抗18Ω/□であった。
【０１３０】
負極を形成する領域にドライエッチングを施し、その領域に限り、Ｓｉドープｎ型ＧａＮコンタクト層の表面を露出させた。チップ表面を保護する目的でＳｉＯ２の保護膜を1000Ａ  ＲＦスパッターで成膜した。次に、その保護膜をパッドを成膜するところをフォトリソグラフィを使って穴を開け、次に、真空蒸着法により、ＩＴＯ膜層上の一部、および露出されたＳｉドープｎ型ＧａＮコンタクト層上に、Tiからなる第１の層（膜圧＝10ｎｍ）、Ptからなる第２の層（層厚＝200ｎｍ）、Ａｕからなる第３の層（膜圧＝300ｎｍ）を順に積層し、それぞれ正極ボンディングパッド層および負極を形成した。
【０１３１】
AlNシード層を使うとサファイアとGaNとを単結晶でつないでいるので低温バッファーで作ったウエハーに比べて非常に大きな応力がかかっている。この応力のためにそのまま研削して薄くしていくとウエハーが割れてしまうおそれがある。そこで分離のためのレーザーによるスクライブをエピ面側から研削・研磨前に入れるのが好ましい。エピ面はレーザー光を吸収するのでレーザーの焦点をサファイア表面に合わせて操作するときれいに飛んでしまう。ただしエピ面側からレーザーをあてるとレーザーによって切り取られた側面はダメージをうけるのでそのダメージを取り除くために、たとえば濃リン酸、195℃で処理するのが好適である。素子化工程が終了後、サファイア基板の裏面を、ダイヤモンド微粒の砥粒を使用して研削・研磨し、最終的に鏡面に仕上げた。その後、積層構造体を裁断し、３５０μｍ角の正方形の個別のＬＥＤへと分離した。得られたＬＥＤの構造は上記保護膜の形成以外は前記の図２と同様である。
（４）パッケージ
次に、外形寸法3.5mm x 2.8mm x1.6mmtのトップビューパッケージ用のリードフレーム上にチップをエポキシ接着剤でボンディングし、負極および正極を各々、金（Ａｕ）線でリードフレームと結線した。その後シリコーン樹脂の封止剤で封止した。このような工程で作製したトップビューパッケージで負極および正極間に順方向電流を流して電気的特性及び発光特性を積分球で評価した。その結果は次のとおりであった。
なお、If，Vf（１μA），Vf（２０mA），IR（２０Ｖ），VR（１０μA）およびPoの値の持つ物理的意味づけは以下のとおりである。
Ifは発光させている電流値である。Vf（１μA）は１μA順方向に電流を流したときの電圧である。発光する前の電流値であるので、リークがあるとその分値が下がってくる。よってできるだけ高い値の方がよい。Vf（２０mA）はいわゆる駆動電圧であり、できるだけ低い方がよい。Ｐ型半導体層のキャリア濃度が十分高くないとＰコンタクトでオーミックが取れず、この値が跳ね上がる。IR（２０Ｖ）は逆方向に２０Ｖかけたときの漏れ電流である。リーク特性を表す。信頼性との相関があり、キャリア濃度が上がって輝度が上がってもこの値が大きくなってくると不適である。VR（１０μA）は逆方向に１０μA流したときの電圧である。大きいリークがなければ普通は２０Ｖ以上になる。２０Ｖが上限なので問題が無ければ２０Ｖの表示になる。２０Ｖ未満の場合はリークが大きすぎることになる。IRとVRは当然ながら相関する。IRが大きいものはVRが２０Ｖ以下になる。ただしVRが２０Ｖの物の中でもリーク特性の差がIR値から見ることができる。Poは２０mA流したときの出力である。有効に光で取り出すことができたエネルギーである。Ｐコンタクト層のキャリア濃度はまずVfに最も敏感に効いてくるが、同じVfであっても、キャリア濃度によって出力が異なる。実施例、比較例の範囲ではＰコンタクトのキャリア濃度以外は同じにそろえているので、p-GaN層のキャリア濃度がPoと相関する。
【０１３２】
If（直流順電流）２０mＡ；Vf（１μA）（直流順電圧）２．３５V；Vf（２０ｍA）（駆動電圧）３．４V；Ir（２０V）（直流逆電流）０．０６μA；Vr（１０μA）（直流逆電圧）２０V；Po（積分球で測定された発光出力）１５．２mＷ；λｄ（発光波長）４６３ｎｍ
なお、直径100mmのウエハーから外観不良品を除いて約５００００個のＬＥＤが得られた。
比較例１
GaN系積層構造体をN2プラズマ処理しない点を除いて実施例１と同様な方法で得られたパッケージで負極および正極間に順方向電流を流して電気的特性及び発光特性を積分球で評価した。その結果は次のとおりであった。
【０１３３】
If（直流順電流）２０mＡ；Vf（１μA）（直流順電圧）２．３３V；Vf（２０ｍA）（駆動電圧）６．６V；Ir（２０V）（直流逆電流）０．０５μA；Vr（１０μA）（直流逆電圧）２０V；Po（積分球で測定された発光出力）５．５mＷ；λｄ（発光波長）４５９ｎｍ
実施例２〜４  （熱処理）
実施例１と同様な方法で作成したGaN系積層構造体ウエハーをMOCVD炉から取り出し、プラズマ処理装置に移した。プラズマ処理チャンバーにウエハーを投入し、プラズマを形成させないで、熱処理を行なった。すなわち、大気圧のままN2を500sccm流し、ヒーターのパワーのみを入れて650℃まで20秒で昇温し、その温度に1分間（実施例２）、5分間（実施例３）、20分間（実施例４）保持して電源を切った。温度が100℃以下に下がった時点でウエハーを取り出した。
実施例１と同様にしてパッケージを作製し、その電気的特性及び発光特性を積分球で評価した。その結果は次のとおりであった。
（実施例２）
If（直流順電流）２０mＡ；Vf（１μA）（直流順電圧）２．３４V；Vf（２０ｍA）（駆動電圧）３．３７V；Ir（２０V）（直流逆電流）０．０８μA；Vr（１０μA）（直流逆電圧）２０V；Po（積分球で測定された発光出力）１４．７mＷ；λｄ（発光波長）４６１ｎｍ
（実施例３）
If（直流順電流）２０mＡ；Vf（１μA）（直流順電圧）２．３３V；Vf（２０ｍA）（駆動電圧）３．１５V；Ir（２０V）（直流逆電流）０．０６μA；Vr（１０μA）（直流逆電圧）２０V；Po（積分球で測定された発光出力）１５．９mＷ；λｄ（発光波長）４６０ｎｍ
（実施例４）
If（直流順電流）２０mＡ；Vf（１μA）（直流順電圧）２．３１V；Vf（２０ｍA）（駆動電圧）３．０６V；Ir（２０V）（直流逆電流）０．１８μA；Vr（１０μA）（直流逆電圧）２０V；Po（積分球で測定された発光出力）１６．５mＷ；λｄ（発光波長）４５９ｎｍ
実施例５〜７  （熱処理）
プラズマ処理装置に流しているN2を止め、30分真空に引いたところ8x10−６Paになった。実施例１と同様な方法で作成したGaN系積層構造体ウエハーをプラズマ処理チャンバーに投入し、プラズマを形成させないで、熱処理を行なった。すなわち、300WのRFパワーを印加して温度を350℃に20秒で昇温した。高真空であるのでRFパワーを印加しても放電は起こらず、電場のみがウエハーにかかった。その温度で1分間（実施例５）、5分間（実施例６）および20分間（実施例７）保持して電源を切った。温度が100℃以下に下がった時点でウエハーを取り出した。
【０１３４】
実施例１と同様にしてパッケージを作製し、その電気的特性及び発光特性を積分球で評価した。その結果は次のとおりであった。
（実施例５）
If（直流順電流）２０mＡ；Vf（１μA）（直流順電圧）２．３２V；Vf（２０ｍA）（駆動電圧）３．０８V；Ir（２０V）（直流逆電流）０．０９μA；Vr（１０μA）（直流逆電圧）２０V；Po（積分球で測定された発光出力）１６．８mＷ；λｄ（発光波長）４６０ｎｍ
（実施例６）
If（直流順電流）２０mＡ；Vf（１μA）（直流順電圧）２．３５V；Vf（２０ｍA）（駆動電圧）３．０６V；Ir（２０V）（直流逆電流）０．０８μA；Vr（１０μA）（直流逆電圧）２０V；Po（積分球で測定された発光出力）１６．９mＷ；λｄ（発光波長）４６０ｎｍ
（実施例７）
If（直流順電流）２０mＡ；Vf（１μA）（直流順電圧）２．３３V；Vf（２０ｍA）（駆動電圧）３．０４V；Ir（２０V）（直流逆電流）０．０７μA；Vr（１０μA）（直流逆電圧）２０V；Po（積分球で測定された発光出力）１６．８mＷ；λｄ（発光波長）４６１ｎｍ
実施例８〜１０  （N2雰囲気下で冷却）
実施例１と同様な方法でP-コンタクト層まで成長させた後、TMGとCp2Mgのガスを切り、ほぼ同時に電源を切った。このとき、次の（ｉ）〜（ｉｉｉ）のいずれかの処理を行った。
（ｉ）（実施例８）同時にNH３とH2とを切り、N2の流量を30L/minにした。切り替わったときの温度は980℃であった。
（ｉｉ）（実施例９）電源を切った15秒後にNH３とH2とを切り、N2の流量を30L/minにした。切り替わったときの温度は820℃であった。
（ｉｉｉ）（実施例１０）30秒後にNH３とH2とを切り、N2の流量を30L/minにした。切り替わったときの温度は690℃であった。
【０１３５】
実施例１と同様にしてパッケージを作製し、その電気的特性及び発光特性を積分球で評価した。その結果は次のとおりであった。
（実施例８）
If（直流順電流）２０mＡ；Vf（１μA）（直流順電圧）２．２６V；Vf（２０ｍA）（駆動電圧）３．０９V；Ir（２０V）（直流逆電流）１．０８μA；Vr（１０μA）（直流逆電圧）２０V；Po（積分球で測定された発光出力）１５．９mＷ；λｄ（発光波長）４６１ｎｍ
（実施例９）
If（直流順電流）２０mＡ；Vf（１μA）（直流順電圧）２．２９V；Vf（２０ｍA）（駆動電圧）３．１４V；Ir（２０V）（直流逆電流）０．５７μA；Vr（１０μA）（直流逆電圧）２０V；Po（積分球で測定された発光出力）１５．３mＷ；λｄ（発光波長）４６２ｎｍ
（実施例１０）
If（直流順電流）２０mＡ；Vf（１μA）（直流順電圧）２．３０V；Vf（２０ｍA）（駆動電圧）３．１７V；Ir（２０V）（直流逆電流）０．２５μA；Vr（１０μA）（直流逆電圧）２０V；Po（積分球で測定された発光出力）１４．９mＷ；λｄ（発光波長）４６３ｎｍ
実施例１１〜１３  （N2キャリアガスを用いてｐ型半導体層を成膜）
実施例１と同様な方法でMQWを成長させたあとキャリアガスをH2に入れ替えず、N2のままｐクラッド層とｐコンタクト層を成長させた。成長条件は以下のように変更した。トータルガス圧200mbar, サセプター温度 1015℃、N2流量30slm, H2流量  ０slm、TMG流量230sccm, TMA流量120/0（p-clad/p-contact）NH３流量21slm、Cp2Mg流量 290sccm/980sccm
成長終了後にTMGとCp2Mgとを切ると同時に電源を切り、自然冷却させた（実施例１１）。
【０１３６】
次に、サセプター温度を1030℃（実施例１２）、1040℃（実施例１３）に変えて同様にしてｐクラッド層とｐコンタクト層を成長させた。
【０１３７】
実施例１と同様にしてパッケージを作製し、その電気的特性及び発光特性を積分球で評価した。その結果は次のとおりであった。
（実施例１１）
If（直流順電流）２０mＡ；Vf（１μA）（直流順電圧）２．２１V；Vf（２０ｍA）（駆動電圧）３．１４V；Ir（２０V）（直流逆電流）２．３５μA；Vr（１０μA）（直流逆電圧）２０V；Po（積分球で測定された発光出力）１４．８mＷ；λｄ（発光波長）４６４ｎｍ
（実施例１２）
If（直流順電流）２０mＡ；Vf（１μA）（直流順電圧）２．１９V；Vf（２０ｍA）（駆動電圧）３．１９V；Ir（２０V）（直流逆電流）３．５６μA；Vr（１０μA）（直流逆電圧）２０V；Po（積分球で測定された発光出力）１３．９mＷ；λｄ（発光波長）４６７ｎｍ
（実施例１３）
If（直流順電流）２０mＡ；Vf（１μA）（直流順電圧）２．１３V；Vf（２０ｍA）（駆動電圧）３．４５V；Ir（２０V）（直流逆電流）４．３６μA；Vr（１０μA）（直流逆電圧）２０V；Po（積分球で測定された発光出力）１２．８mＷ；λｄ（発光波長）４７１ｎｍ
実施例１４〜２３
実施例１におけるN2プラズマ処理における放電条件（温度１００℃、N2ガス圧力  ３．０Ｐａ、パワー５０Ｗ，時間６０秒）を、次のように変更した以外は実施例１と同様にして、パッケージを作製し、その電気的特性及び発光特性を積分球で評価した。その結果は次のとおりであった。
（実施例１４）：温度１００℃を温度３００℃に変更
If（直流順電流）２０mＡ；Vf（１μA）（直流順電圧）２．２９V；Vf（２０ｍA）（駆動電圧）３．０５V；Ir（２０V）（直流逆電流）０．０３μA；Vr（１０μA）（直流逆電圧）２０V；Po（積分球で測定された発光出力）１７．５mＷ；λｄ（発光波長）４６１ｎｍ
（実施例１５）：温度１００℃を温度１０００℃に変更
If（直流順電流）２０mＡ；Vf（１μA）（直流順電圧）２．３１V；Vf（２０ｍA）（駆動電圧）３．０７V；Ir（２０V）（直流逆電流）１．５０μA；Vr（１０μA）（直流逆電圧）２０V；Po（積分球で測定された発光出力）１５．９mＷ；λｄ（発光波長）４６０ｎｍ
（実施例１６）：温度１００℃を温度３００℃に、N2ガス圧力３．０Ｐａを１０．０Ｐａに変更
If（直流順電流）２０mＡ；Vf（１μA）（直流順電圧）２．３２V；Vf（２０ｍA）（駆動電圧）３．０２V；Ir（２０V）（直流逆電流）０．０７μA；Vr（１０μA）（直流逆電圧）２０V；Po（積分球で測定された発光出力）１６．５mＷ；λｄ（発光波長）４６１ｎｍ
（実施例１７）： N2ガス圧力３．０Ｐａを０．３Ｐａに変更
If（直流順電流）２０mＡ；Vf（１μA）（直流順電圧）２．３４V；Vf（２０ｍA）（駆動電圧）３．０３V；Ir（２０V）（直流逆電流）０．１３μA；Vr（１０μA）（直流逆電圧）２０V；Po（積分球で測定された発光出力）１６．８mＷ；λｄ（発光波長）４６０ｎｍ
（実施例１８）：パワー５０Ｗを１００Ｗに変更
If（直流順電流）２０mＡ；Vf（１μA）（直流順電圧）２．３１V；Vf（２０ｍA）（駆動電圧）２．９９V；Ir（２０V）（直流逆電流）１．６０μA；Vr（１０μA）（直流逆電圧）２０V；Po（積分球で測定された発光出力）１６．９mＷ；λｄ（発光波長）４６０ｎｍ
（実施例１９）：パワー５０Ｗを２００Ｗに変更
If（直流順電流）２０mＡ；Vf（１μA）（直流順電圧）２．３４V；Vf（２０ｍA）（駆動電圧）３．０１V；Ir（２０V）（直流逆電流）１.２６μA；Vr（１０μA）（直流逆電圧）２０V；Po（積分球で測定された発光出力）１４．９mＷ；λｄ（発光波長）４６０ｎｍ
（実施例２０）：パワー５０Ｗを５００Ｗに変更
If（直流順電流）２０mＡ；Vf（１μA）（直流順電圧）２．３４V；Vf（２０ｍA）（駆動電圧）３．１７V；Ir（２０V）（直流逆電流）１．６８μA；Vr（１０μA）（直流逆電圧）２０V；Po（積分球で測定された発光出力）１４．６mＷ；λｄ（発光波長）４５９ｎｍ
（実施例２１）：パワー５０Ｗを５００Ｗに、処理時間６０秒を１０秒に変更
If（直流順電流）２０mＡ；Vf（１μA）（直流順電圧）２．３２V；Vf（２０ｍA）（駆動電圧）３．３V；Ir（２０V）（直流逆電流）０．０２μA；Vr（１０μA）（直流逆電圧）２０V；Po（積分球で測定された発光出力）１０．６mＷ；λｄ（発光波長）４６１ｎｍ
（実施例２２）：処理時間６０秒を１２０秒に変更
If（直流順電流）２０mＡ；Vf（１μA）（直流順電圧）２．３４V；Vf（２０ｍA）（駆動電圧）３．０３V；Ir（２０V）（直流逆電流）０．１８μA；Vr（１０μA）（直流逆電圧）２０V；Po（積分球で測定された発光出力）１６．６mＷ；λｄ（発光波長）４６１ｎｍ
（実施例２３）：処理時間６０秒を２４０秒に変更
If（直流順電流）２０mＡ；Vf（１μA）（直流順電圧）２．３４V；Vf（２０ｍA）（駆動電圧）３．０２V；Ir（２０V）（直流逆電流）０．５８μA；Vr（１０μA）（直流逆電圧）２０V；Po（積分球で測定された発光出力）１６．１mＷ；λｄ（発光波長）４６０ｎｍ
【産業上の利用可能性】
【０１３８】
本発明によれば、高度の結晶性を有し、特に直径100mm以上の大型基板を用いる場合でも全面均一に平坦なAｌN結晶膜シード層を用いることにより、結晶性の良いＧａＮ系薄膜を得、信頼性の高い高輝度のＬＥＤ素子等を得ることができる。
【図面の簡単な説明】
【０１３９】
【図１】本発明のＩＩＩ族窒化物半導体積層構造体の一例を模式的に説明する断面概略図。
【図２】本発明のＩＩＩ族窒化物半導体積層構造体を用いた発光素子の一例を模式的に説明する断面概略図。
【図３】本発明の実施例１で得られたＡｌＮシード層の縦断面ＴＥＭ写真。
【図４】本発明の実施例１で得られたＡｌＮシード層の平面ＴＥＭ写真。
【図５】本発明の比較例１で得られたＡｌＮシード層の縦断面ＴＥＭ写真。
【図６】本発明の比較例１で得られたＡｌＮシード層の平面ＴＥＭ写真。
【符号の説明】
【０１４０】
１    発光素子
１０    ＩＩＩ族窒化物半導体積層構造体
１１    サファイア基板
１２    シード層
１４    ｎ型半導体層
１５    発光層
１６    ｐ型半導体層
１７    透光性正極
１８    正極ボンディングパッド
１９    負極ボンディングパッド
２０    ＩＩＩ族窒化物半導体層
【図１】
2010021439.tif 000003
【図２】
2010021439.tif 000004
【図３】
2010021439.tif 000005
【図４】
2010021439.tif 000006
【図５】
2010021439.tif 000007
【図６】
2010021439.tif 000008